(57)【特許請求の範囲】
【請求項１】
無線ＬＡＮ（ＷＬＡＮ）システムにおいてフレームを送信する方法であって、
第１のＳＴＡ（ｓｔａｔｉｏｎ）が、ＴＰＣ（Ｔｒａｎｓｍｉｔ  Ｐｏｗｅｒ  Ｃｏｎｔｒｏｌ）情報を要請するリンク測定要請フレームを第２のＳＴＡに送信するステップと、
前記第１のＳＴＡが、前記第２のＳＴＡから前記リンク測定要請フレームに対する応答として送信されたリンク測定報告フレームを受信するステップと、
を含み、
前記リンク測定要請フレームは、ＴＰＣ構成フィールドを含み、
前記ＴＰＣ構成フィールドは、第１のサブフィールド及び第２のサブフィールドを含み、
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含み、
前記第２のサブフィールドは、前記リンク測定要請フレームの送信に使用される送信チェーン（Ｔｒａｎｓｍｉｔ  ｃｈａｉｎ）の数に関する情報を含み、
前記リンク測定要請フレームが、前記チャネルアグリゲーションが行われたチャネルを介して送信されれば、前記送信チェーンの数は、偶数である方法。
【請求項２】
前記リンク測定要請フレームは、測定要請フィールドをさらに含み、
前記測定要請フィールドは、第３のサブフィールド及び第４のサブフィールドを含み、
前記第３のサブフィールドは、前記送信チェーンの各々に対して使用された送信電力に関する情報を含み、
前記第４のサブフィールドは、前記送信チェーンの各々に対する最大送信電力に関する情報を含む、請求項１に記載の方法。
【請求項３】
前記リンク測定報告フレームは、レート適応制御（ｒａｔｅ  ａｄａｐｔａｔｉｏｎ  ｃｏｎｔｒｏｌ）または第１のＴＰＣフィールドを含み、
前記レート適応制御または第１のＴＰＣフィールドは、報告される送信チェーンの数に関する情報を含む、請求項１に記載の方法。
【請求項４】
前記リンク測定報告フレームは、第２のＴＰＣフィールドをさらに含み、
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含み、
前記Ａｃｔｉｖｉｔｙサブフィールドは、前記第２のＳＴＡが前記報告される送信チェーンに対して前記第１のＳＴＡに推奨する推奨動作に関する情報を含み、
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定され、
前記Ｌｉｎｋ  Ｍａｒｇｉｎサブフィールドは、前記第２のＳＴＡが前記第１のＳＴＡに対して測定したリンクマージンに関する情報を含む、請求項３に記載の方法。
【請求項５】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更せず、
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させ、
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させる、請求項４に記載の方法。
【請求項６】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含み、
前記リンク適応確認要素は、Ａｃｔｉｖｉｔｙサブフィールドを含み、
前記Ａｃｔｉｖｉｔｙサブフィールドは、前記第１のＳＴＡが前記推奨動作を受信した以後に、前記送信チェーンの実際動作に関する情報を含む、請求項４に記載の方法。
【請求項７】
前記チャネルアグリゲーションが行われたチャネルは、２．１６＋２．１６ＧＨｚまたは４．３２＋４．３２ＧＨｚである、請求項１に記載の方法。
【請求項８】
無線ＬＡＮ（ＷＬＡＮ）システムにおいてフレームを送信するＳＴＡ（ｓｔａｔｉｏｎ）装置であって、
メモリと、
トランシーバと、
前記メモリ及び前記トランシーバと動作可能に結合されたプロセッサと、
を備え、
前記プロセッサは、
ＴＰＣ（Ｔｒａｎｓｍｉｔ  Ｐｏｗｅｒ  Ｃｏｎｔｒｏｌ）情報を要請するリンク測定要請フレームを他のＳＴＡ装置に送信し、
前記他のＳＴＡ装置から前記リンク測定要請フレームに対する応答として送信されたリンク測定報告フレームを受信し、
前記リンク測定要請フレームは、ＴＰＣ構成フィールドを含み、
前記ＴＰＣ構成フィールドは、第１のサブフィールド及び第２のサブフィールドを含み、
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含み、
前記第２のサブフィールドは、前記リンク測定要請フレームの送信に使用される送信チェーン（Ｔｒａｎｓｍｉｔ  ｃｈａｉｎ）の数に関する情報を含み、
前記リンク測定要請フレームが、前記チャネルアグリゲーションが行われたチャネルを介して送信されれば、前記送信チェーンの数は、偶数であるＳＴＡ装置。
【請求項９】
前記リンク測定要請フレームは、測定要請フィールドをさらに含み、
前記測定要請フィールドは、第３のサブフィールド及び第４のサブフィールドを含み、
前記第３のサブフィールドは、前記送信チェーンの各々に対して使用された送信電力に関する情報を含み、
前記第４のサブフィールドは、前記送信チェーンの各々に対する最大送信電力に関する情報を含む、請求項８に記載のＳＴＡ装置。
【請求項１０】
前記リンク測定報告フレームは、レート適応制御（ｒａｔｅ  ａｄａｐｔａｔｉｏｎ  ｃｏｎｔｒｏｌ）または第１のＴＰＣフィールドを含み、
前記レート適応制御または第１のＴＰＣフィールドは、報告される送信チェーンの数に関する情報を含む、請求項８に記載のＳＴＡ装置。
【請求項１１】
前記リンク測定報告フレームは、第２のＴＰＣフィールドをさらに含み、
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含み、
前記Ａｃｔｉｖｉｔｙサブフィールドは、前記第２のＳＴＡが前記報告される送信チェーンに対して前記第１のＳＴＡに推奨する推奨動作に関する情報を含み、
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定され、
前記Ｌｉｎｋ  Ｍａｒｇｉｎサブフィールドは、前記第２のＳＴＡが前記第１のＳＴＡに対して測定したリンクマージンに関する情報を含む、請求項１０に記載のＳＴＡ装置。
【請求項１２】
前記推奨動作に関する情報がＮｏ  ｃｈａｎｇｅ  ｐｒｅｆｅｒｒｅｄに決定されれば、前記ＳＴＡ装置は、前記送信チェーンの送信電力を変更せず、
前記推奨動作に関する情報がＤｅｃｒｅａｓｅ  ｔｒａｎｓｍｉｔ  ｐｏｗｅｒに決定されれば、前記ＳＴＡ装置は、前記送信チェーンの送信電力を減少させ、
前記推奨動作に関する情報がＩｎｃｒｅａｓｅ  ｔｒａｎｓｍｉｔ  ｐｏｗｅｒに決定されれば、前記ＳＴＡ装置は、前記送信チェーンの送信電力を増加させる、請求項１１に記載のＳＴＡ装置。
【請求項１３】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含み、
前記リンク適応確認要素は、Ａｃｔｉｖｉｔｙサブフィールドを含み、
前記Ａｃｔｉｖｉｔｙサブフィールドは、前記ＳＴＡ装置が前記推奨動作を受信した以後に、前記送信チェーンの実際動作に関する情報を含む、請求項１１に記載のＳＴＡ装置。
【請求項１４】
前記チャネルアグリゲーションが行われたチャネルは、２．１６＋２．１６ＧＨｚまたは４．３２＋４．３２ＧＨｚである、請求項８に記載のＳＴＡ装置。
【請求項１５】
無線ＬＡＮ（ＷＬＡＮ）システムにおいてフレームを受信する方法であって、
第１のＳＴＡ（ｓｔａｔｉｏｎ）が、第２のＳＴＡからＴＰＣ（Ｔｒａｎｓｍｉｔ  Ｐｏｗｅｒ  Ｃｏｎｔｒｏｌ）情報を要請するリンク測定要請フレームを受信するステップと、
前記第１のＳＴＡが、前記リンク測定要請フレームに対する応答としてリンク測定報告フレームを前記第２のＳＴＡに送信するステップと、
を含み、
前記リンク測定要請フレームは、ＴＰＣ構成フィールドを含み、
前記ＴＰＣ構成フィールドは、第１のサブフィールド及び第２のサブフィールドを含み、
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含み、
前記第２のサブフィールドは、前記リンク測定要請フレームの送信に使用される送信チェーン（Ｔｒａｎｓｍｉｔ  ｃｈａｉｎ）の数に関する情報を含み、
前記リンク測定要請フレームが、前記チャネルアグリゲーションが行われたチャネルを介して送信されれば、前記送信チェーンの数は、偶数である方法。
【発明の詳細な説明】
【技術分野】
【０００１】
本明細書は、無線ＬＡＮシステムにおいて信号を送受信する技法に関し、より詳細には、ＭＩＭＯ及びチャネルアグリゲーション環境で送信電力を調整してフレームを送信する方法及び装置に関する。
【背景技術】
【０００２】
無線ＬＡＮ技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ８０２．１１ａ及びｂは、２．４ＧＨｚまたは５ＧＨｚで非免許帯域（ｕｎｌｉｃｅｎｓｅｄ  ｂａｎｄ）を利用し、ＩＥＥＥ８０２．１１ｂは、１１Ｍｂｐｓの送信速度を提供し、ＩＥＥＥ８０２．１１ａは、５４Ｍｂｐｓの送信速度を提供する。ＩＥＥＥ８０２．１１ｇは、２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用して、５４Ｍｂｐｓの送信速度を提供する。ＩＥＥＥ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用して、４個の空間的なストリーム（ｓｐａｔｉａｌ  ｓｔｒｅａｍ）に対して３００Ｍｂｐｓの送信速度を提供する。ＩＥＥＥ８０２．１１ｎでは、チャネル帯域幅（ｃｈａｎｎｅｌ  ｂａｎｄｗｉｄｔｈ）を４０ＭＨｚまで支援し、この場合には、６００Ｍｂｐｓの送信速度を提供する。
【０００３】
上述した無線ＬＡＮ標準は、最大１６０ＭＨｚ帯域幅を使用し、８個の空間ストリームを支援して、最大１Ｇｂｉｔ／ｓの速度を支援するＩＥＥＥ８０２．１１ａｃ標準を経て、ＩＥＥＥ８０２．１１ａｘ標準化に対する議論がなされている。
【０００４】
一方、ＩＥＥＥ８０２．１１ａｄでは、６０ＧＨｚ帯域での超高速処理率のための性能向上を規定しており、このようなＩＥＥＥ８０２．１１ａｄシステムに初めてチャネルボンディング及びＭＩＭＯ技術を導入するためのＩＥＥＥ８０２．１１ａｙに対する議論がなされている。
【発明の概要】
【発明が解決しようとする課題】
【０００５】
本明細書は、無線ＬＡＮシステムにおいてＭＩＭＯ及びチャネルアグリゲーション環境で送信電力を調整してフレームを送信する方法及び装置を提案する。
【課題を解決するための手段】
【０００６】
本明細書は、ＭＩＭＯ及びチャネルアグリゲーション環境で送信電力を調整してフレームを送信する方法及び装置を提案する。
【０００７】
本実施形態は、８０２．１１ａｙシステムのＭＩＭＯ及びチャネルアグリゲーション状況で送信電力を調整するためのフレームを生成する方法を提案する。１１ａｄシステムのＤＭＧ  ＴＰＣ方法では、ＭＩＭＯ及びチャネルアグリゲーション状況で送信電力を調整できないので、１１ａｄに定義されたフレームに情報を追加して効率的なＴＰＣを行う方法を提案する。
【０００８】
まず、用語をまとめると、リンク測定要請フレーム及びリンク測定報告フレームは、８０２．１１ａｙシステムで定義されたＥＤＭＧ（Ｅｎｈａｎｃｅｄ  Ｄｉｒｅｃｔｉｏｎａｌ  Ｍｕｌｔｉ−Ｇｉｇａｂｉｔ）フレーム（または、ＥＤＭＧ  ＰＰＤＵ）に対応することができる。したがって、後述するリンク測定要請フレーム及びリンク測定報告フレームに含まれたフィールドまたはサブフィールドは、ＥＤＭＧが適用され得る。
【０００９】
第１のＳＴＡ（ｓｔａｔｉｏｎ）は、ＴＰＣ（Ｔｒａｎｓｍｉｔ  Ｐｏｗｅｒ  Ｃｏｎｔｒｏｌ）情報を要請するリンク測定要請フレームを第２のＳＴＡに送信する。
【００１０】
前記第１のＳＴＡは、前記第２のＳＴＡから前記リンク測定要請フレームに対する応答として送信されたリンク測定報告フレームを受信する。
【００１１】
前記リンク測定要請フレーム及び前記リンク測定報告フレームは、次のように定義されることができる。
【００１２】
前記リンク測定要請フレームは、ＴＰＣ構成フィールドを含む。
【００１３】
前記ＴＰＣ構成フィールドは、第１のサブフィールド及び第２のサブフィールドを含む。
【００１４】
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含む。
【００１５】
前記第２のサブフィールドは、前記リンク測定要請フレームの送信に使用される送信チェーン（Ｔｒａｎｓｍｉｔ  ｃｈａｉｎ）の数に関する情報を含む。
【００１６】
前記リンク測定要請フレームが、前記チャネルアグリゲーションが行われたチャネルを介して送信されれば、前記送信チェーンの数は、偶数である。
【００１７】
前記リンク測定要請フレームは、測定要請フィールドをさらに含むことができる。
【００１８】
前記測定要請フィールドは、第３のサブフィールド及び第４のサブフィールドを含むことができる。
【００１９】
前記第３のサブフィールドは、前記送信チェーンの各々に対して使用された送信電力に関する情報を含むことができる。
【００２０】
前記第４のサブフィールドは、前記送信チェーンの各々に対する最大送信電力に関する情報を含むことができる。
【００２１】
前記リンク測定報告フレームは、レート適応制御（ｒａｔｅ  ａｄａｐｔａｔｉｏｎ  ｃｏｎｔｒｏｌ）または第１のＴＰＣフィールドを含むことができる。前記レート適応制御または第１のＴＰＣフィールドは、報告される送信チェーンの数に関する情報を含むことができる。
【００２２】
前記リンク測定報告フレームは、第２のＴＰＣフィールドをさらに含むことができる。
【００２３】
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含むことができる。
【００２４】
前記Ａｃｔｉｖｉｔｙサブフィールドは、前記第２のＳＴＡが前記報告される送信チェーンに対して前記第１のＳＴＡに推奨する推奨動作に関する情報を含むことができる。
【００２５】
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定されることができる。
【００２６】
前記Ｌｉｎｋ  Ｍａｒｇｉｎサブフィールドは、前記第２のＳＴＡが前記第１のＳＴＡに対して測定したリンクマージンに関する情報を含むことができる。
【００２７】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更しないことができる。
【００２８】
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させることができる。
【００２９】
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させることができる。
【００３０】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含むことができる。
【００３１】
前記リンク適応確認要素は、Ａｃｔｉｖｉｔｙサブフィールドを含むことができる。
【００３２】
前記Ａｃｔｉｖｉｔｙサブフィールドは、前記第１のＳＴＡが前記推奨動作を受信した以後に、前記送信チェーンの実際動作に関する情報を含むことができる。
【００３３】
前記チャネルアグリゲーションが行われたチャネルは、２．１６＋２．１６ＧＨｚまたは４．３２＋４．３２ＧＨｚでありうる。
【図面の簡単な説明】
【００３４】
【図１】無線ＬＡＮシステムの構成の一例を示した図である。
【図２】無線ＬＡＮシステムの構成の他の例を示した図である。
【図３】本発明の一実施形態に係るチャネルボンディング動作説明のための６０ＧＨｚ帯域でのチャネルを説明するための図である。
【図４】無線ＬＡＮシステムでチャネルボンディングを行う基本的な方法を説明するための図である。
【図５】ビーコン間隔の構成を説明するための図である。
【図６】既存の無線フレームの物理構成を説明するための図である。
【図７】図６の無線フレームのヘッダフィールドの構成を説明するための図である。
【図８】図６の無線フレームのヘッダフィールドの構成を説明するための図である。
【図９】本発明に適用可能なＰＰＤＵ構造を示した図である。
【図１０】本発明に適用可能なＰＰＤＵ構造を簡単に示した図である。
【図１１】本発明の一例によって１つのチャネルに対してビームフォーミングを行う動作を示した図である。
【図１２】本発明に適用可能なビームフォーミングトレーニング過程の一例を示す。
【図１３】ＳＬＳ（Ｓｅｃｔｏｒ  Ｌｅｖｅｌ  Ｓｗｅｅｐ）ステップの例示を示した図である。
【図１４】ＳＬＳ（Ｓｅｃｔｏｒ  Ｌｅｖｅｌ  Ｓｗｅｅｐ）ステップの例示を示した図である。
【図１５】Ｆａｓｔ  ｌｉｎｋ  ａｄａｐｔａｔｉｏｎ手順の一例を図示する。
【図１６】ＥＤＭＧ  Ｌｉｎｋ  Ｍｅａｓｕｒｅｍｅｎｔ  ｒｅｑｕｅｓｔフレームフォーマットの一例を示す。
【図１７】ＴＰＣ  Ｃｏｎｆｉｇｕｒａｔｉｏｎフィールドのフォーマットの一例を示す。
【図１８】Ｔｒａｎｓｍｉｔ  Ｐｏｗｅｒ  Ｉｎｆｏｒｍａｔｉｏｎフィールドのフォーマットの一例を示す。
【図１９】ＥＤＭＧ  Ｍｅａｓｕｒｅｍｅｎｔ  Ｒｅｑｕｅｓｔフィールドのフォーマットの一例を示す。
【図２０】ＥＤＭＧ  Ｌｉｎｋ  Ｍｅａｓｕｒｅｍｅｎｔ  ｒｅｐｏｒｔフレームのフォーマットの一例を示す。
【図２１】ＥＤＭＧ  Ｌｉｎｋ  Ｍｅａｓｕｒｅｍｅｎｔ  ｒｅｐｏｒｔフレームのフォーマットの他の例を示す。
【図２２】Ｍｅａｓｕｒｅｍｅｎｔ  Ｃｏｎｆｉｇｕｒａｔｉｏｎフィールドのフォーマットの一例を示す。
【図２３】Ｒａｔｅ  Ａｄａｐｔａｔｉｏｎ  Ｃｏｎｔｒｏｌ  ｆｉｅｌｄ／ＴＰＣ  ｆｉｅｌｄのフォーマットの一例を示す。
【図２４】ＥＤＭＧ  Ｌｉｎｋ  Ｍｅａｓｕｒｅｍｅｎｔフィールドのフォーマットの一例を示す。
【図２５】ＥＤＭＧ  ＴＰＣフィールドのフォーマットの一例を示す。図２５は、図２４と同様に設定されることができる。
【図２６】ＤＭＧ  Ｌｉｎｋ  Ａｄａｐｔａｔｉｏｎ  Ａｃｋｎｏｗｌｅｄｇｍｅｎｔ  ｅｌｅｍｅｎｔのフォーマットの一例を示す。
【図２７】ＥＤＭＧ  Ａｃｔｉｖｉｔｙフィールドのフォーマットの一例を示す。
【図２８】本実施形態に係る送信装置がＭＩＭＯ及びチャネルアグリゲーション状況でフレームを送信する手順フローチャートである。
【図２９】本実施形態に係る受信装置がＭＩＭＯ及びチャネルアグリゲーション状況でフレームを受信する手順フローチャートである。
【図３０】本実施形態に係るＭＩＭＯ及びチャネルアグリゲーション状況でフレームを送信する手順を示す。
【図３１】上述したような方法を実現するための装置を説明するための図である。
【図３２】本発明の実施形態を実現するより詳細な無線装置を示す。
【発明を実施するための形態】
【００３５】
以下、本発明に係る望ましい実施形態を添付された図面を参照して詳細に説明する。添付された図面とともに以下に開示される詳細な説明は、本発明の例示的な実施形態を説明しようとするものであり、本発明が実施され得る唯一の実施形態を表そうとするものでない。
【００３６】
以下の詳細な説明は、本発明の完全な理解を提供するために具体的細部事項を含む。しかし、当業者は、本発明がこのような具体的細部事項なしにも実施され得ることを知る。何個かの場合、本発明の概念が曖昧になることを避けるために、公知の構造及び装置は省略されるか、各構造及び装置の核心機能を中心としたブロック図形式で図示される。
【００３７】
本発明が適用される移動通信システムは、様々に存在することができるが、以下では、移動通信システムの一例として無線ＬＡＮシステムについて具体的に説明する。
【００３８】
１．無線ＬＡＮ（Ｗｉｒｅｌｅｓｓ  ＬＡＮ、ＷＬＡＮ）システム
【００３９】
１−１．無線ＬＡＮシステム一般
【００４０】
図１は、無線ＬＡＮシステムの構成の一例を示した図である。
【００４１】
図１に示されたように、無線ＬＡＮシステムは、１つ以上の基本サービスセット（Ｂａｓｉｃ  Ｓｅｒｖｉｃｅ  Ｓｅｔ、ＢＳＳ）を含む。ＢＳＳは、成功的に同期化をなして互いに通信できるステーション（Ｓｔａｔｉｏｎ、ＳＴＡ）の集合である。
【００４２】
ＳＴＡは、媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースとを含む論理個体であって、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）とを含む。ＳＴＡのうち、ユーザが操作する携帯用端末は、Ｎｏｎ−ＡＰ  ＳＴＡであって、単純にＳＴＡというときは、Ｎｏｎ−ＡＰ  ＳＴＡを指すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、または移動加入者ユニット（Ｍｏｂｉｌｅ  Ｓｕｂｓｃｒｉｂｅｒ  Ｕｎｉｔ）などの他の名称とも呼ばれることができる。
【００４３】
そして、ＡＰは、自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）への接続を提供する個体である。ＡＰは、集中制御機、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、ＰＣＰ／ＡＰ（ｐｅｒｓｏｎａｌ  ｂａｓｉｃ  ｓｅｒｖｉｃｅ  ｓｅｔ  ｃｅｎｔｒａｌ  ｐｏｉｎｔ／ａｃｃｅｓｓ  ｐｏｉｎｔ）、またはサイト制御機などと呼ばれることもできる。
【００４４】
ＢＳＳは、インフラストラクチャ（ｉｎｆｒａｓｔｒｕｃｔｕｒｅ）ＢＳＳと独立的な（Ｉｎｄｅｐｅｎｄｅｎｔ）ＢＳＳ（ＩＢＳＳ）とに区分することができる。
【００４５】
図１に示されたＢＢＳは、ＩＢＳＳである。ＩＢＳＳは、ＡＰを含まないＢＳＳを意味し、ＡＰを含まないので、ＤＳへの接続が許容されず、自己完結型ネットワーク（ｓｅｌｆ−ｃｏｎｔａｉｎｅｄ  ｎｅｔｗｏｒｋ）をなす。
【００４６】
図２は、無線ＬＡＮシステムの構成の他の例を示した図である。
【００４７】
図２に示されたＢＳＳは、インフラストラクチャＢＳＳである。インフラストラクチャＢＳＳは、１つ以上のＳＴＡ及びＡＰを含む。インフラストラクチャＢＳＳで非ＡＰ  ＳＴＡ間の通信は、ＡＰを経由してなされることが原則であるが、非ＡＰ  ＳＴＡ間に直接リンク（ｌｉｎｋ）が設定された場合には、非ＡＰ  ＳＴＡ間で直接通信も可能である。
【００４８】
図２に示されたように、複数のインフラストラクチャＢＳＳは、ＤＳを介して相互連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡは、互いに通信することができ、同じＥＳＳ内で非ＡＰ  ＳＴＡは、途切れることなく通信しながら１つのＢＳＳから他のＢＳＳに移動することができる。
【００４９】
ＤＳは、複数のＡＰを連結するメカニズム（ｍｅｃｈａｎｉｓｍ）であって、必ずネットワークである必要はなく、所定の分配サービスを提供できるならば、その形態に対しては何らの制限がない。例えば、ＤＳは、メッシュ（ｍｅｓｈ）ネットワークのような無線ネットワークでありうるし、ＡＰを互いに連結させる物理的な構造物でありうる。
【００５０】
以上に基づいて無線ＬＡＮシステムにおけるチャネルボンディング方式について説明する。
【００５１】
１−２．無線ＬＡＮシステムにおけるチャネルボンディング
【００５２】
図３は、本発明の一実施形態に係るチャネルボンディング動作説明のための６０ＧＨｚ帯域でのチャネルを説明するための図である。
【００５３】
図３に示されたように、６０ＧＨｚ帯域では、４個のチャネルが構成され得るし、一般チャネル帯域幅は、２．１６ＧＨｚでありうる。６０ＧＨｚで使用可能なＩＳＭ帯域（５７ＧＨｚ〜６６ＧＨｚ）は、各国の状況によって異なるように規定されることができる。一般的に、図３に示されたチャネルのうち、チャネル２は、全ての地域で使用可能であって、ｄｅｆａｕｌｔチャネルとして使用されることができる。オーストラリアを除いたほとんどの地籍でチャネル２及びチャネル３を使用でき、これをチャネルボンディングに活用することができる。ただし、チャネルボンディングに活用されるチャネルは様々でありうるし、本発明は、特定チャネルに限定されない。
【００５４】
図４は、無線ＬＡＮシステムでチャネルボンディングを行う基本的な方法を説明するための図である。
【００５５】
図４の例は、ＩＥＥＥ８０２．１１ｎシステムで２個の２０ＭＨｚチャネルを結合して４０ＭＨｚチャネルボンディングとして動作することを例に挙げて説明する。ＩＥＥＥ８０２．１１ａｃシステムの場合、４０／８０／１６０ＭＨｚチャネルボンディングが可能であろう。
【００５６】
図４の例示的な２個のチャネルは、主チャネル（Ｐｒｉｍａｒｙ  Ｃｈａｎｎｅｌ）及び補助チャネル（Ｓｅｃｏｎｄａｒｙ  Ｃｈａｎｎｅｌ）を含み、ＳＴＡは、前記２個のチャネルのうち、主チャネルに対してＣＳＭＡ／ＣＡ方式でチャネル状態を検討できる。仮に、主チャネルが一定のバックオフ間隔（ｂａｃｋｏｆｆ  ｉｎｔｅｒｖａｌ）の間、遊休（ｉｄｌｅ）してバックオフカウントが０になる時点で、補助チャネルが所定時間（例えば、ＰＩＦＳ）の間、遊休である場合、ＳＴＡは、主チャネル及び補助チャネルを結合してデータを送信できる。
【００５７】
ただし、図４のように競争基盤でチャネルボンディングを行う場合、上述したように、主チャネルに対するバックオフカウントが満了される時点で補助チャネルが一定時間の間、遊休状態を維持した場合に限ってチャネルボンディングが可能なので、チャネルボンディングの活用が非常に制限的であり、媒体状況に柔軟に対応し難いという側面がある。
【００５８】
これにより、本発明の一側面では、ＡＰがＳＴＡにスケジューリング情報を送信し、スケジューリング基盤で接続を行う方案を提案する。一方、本発明の他の一側面では、上述したスケジューリングに基づいて、または上述したスケジューリングと独立的に競争基盤でチャネル接続を行う方案を提案する。合わせて、本発明の他の一側面では、ビームフォーミング（ｂｅａｍｆｏｒｍｉｎｇ）に基づいて空間共有（Ｓｐａｔｉａｌ  Ｓｈａｒｉｎｇ）技法を介して通信を行う方法について提案する。
【００５９】
１−３．ビーコン間隔構成
【００６０】
図５は、ビーコン間隔の構成を説明するための図である。
【００６１】
１１ａｄ基盤ＤＭＧ  ＢＳＳシステムで媒体の時間は、ビーコン間隔に分けられることができる。ビーコン間隔内の下位区間は、接続区間（Ａｃｃｅｓｓ  Ｐｅｒｉｏｄ）と称されることができる。１つのビーコン間隔内の互いに異なる接続区間は、相違した接続規則を有することができる。このような接続区間に関する情報は、ＡＰまたはＰＣＰ（Ｐｅｒｓｏｎａｌ  ｂａｓｉｃ  ｓｅｒｖｉｃｅ  ｓｅｔ  Ｃｏｎｔｒｏｌ  Ｐｏｉｎｔ）によりｎｏｎ−ＡＰ  ＳＴＡまたはｎｏｎ−ＰＣＰに送信されることができる。
【００６２】
図５に示された例のように、１つのビーコン間隔は、１つのＢＨＩ（Ｂｅａｃｏｎ  Ｈｅａｄｅｒ  Ｉｎｔｅｒｖａｌ）と１つのＤＴＩ（Ｄａｔａ  Ｔｒａｎｓｆｅｒ  Ｉｎｔｅｒｖａｌ）とを含むことができる。ＢＨＩは、図４に示されたように、ＢＴＩ（Ｂｅａｃｏｎ  Ｔｒａｎｓｍｉｓｓｉｏｎ  Ｉｎｔｅｒｖａｌ）、Ａ−ＢＦＴ（Ａｓｓｏｃｉａｔｉｏｎ  Ｂｅａｍｆｏｒｍｉｎｇ  Ｔｒａｉｎｉｎｇ）、及びＡＴＩ（Ａｎｎｏｕｎｃｅｍｅｎｔ  Ｔｒａｎｓｍｉｓｓｉｏｎ  Ｉｎｔｅｒｖａｌ）を含むことができる。
【００６３】
ＢＴＩは、１つ以上のＤＭＧビーコンフレームが送信され得る区間を意味する。Ａ−ＢＦＴは、先行するＢＴＩの間、ＤＭＧビーコンフレームを送信したＳＴＡによるビームフォーミングトレーニングが行われる区間を意味する。ＡＴＩは、ＰＣＰ／ＡＰとｎｏｎ−ＰＣＰ／ｎｏｎ−ＡＰ  ＳＴＡとの間の要請−応答基盤の管理接続区間を意味する。
【００６４】
一方、ＤＴＩ（Ｄａｔａ  Ｔｒａｎｓｆｅｒ  Ｉｎｔｅｒｖａｌ）は、ＳＴＡ間のフレーム交換がなされる区間であって、図５に示されたように、１つ以上のＣＢＡＰ（Ｃｏｎｔｅｎｔｉｏｎ  Ｂａｓｅｄ  Ａｃｃｅｓｓ  Ｐｅｒｉｏｄ）及び１つ以上のＳＰ（Ｓｅｒｖｉｃｅ  Ｐｅｒｉｏｄ）が割り当てられ得る。図５では、２個のＣＢＡＰと２個のＳＰが割り当てられる例を図示しているが、これは、例示的なものであって、これに限定される必要はない。
【００６５】
図５は、ＴＤＤ  ＳＰ（Ｓｅｒｖｉｃｅ  Ｐｅｒｉｏｄ）の構造も図示している。ＴＤＤ  ＳＰは、ＴＤＤスロット構造要素により具体化された１つ以上の連続的かつ隣接したＴＤＤ間隔（ＴＤＤ  ｉｎｔｅｒｖａｌ）で構成される（ＴＤＤ  ｉｎｔｅｒｖａｌ  １、ＴＤＤ  ｉｎｔｅｒｖａｌ  ２、．．．、ＴＤＤ  ｉｎｔｅｒｖａｌ  Ｑ）。ＴＤＤ間隔は、１つ以上のＴＤＤスロットを含む。隣接したＴＤＤスロットは、図５において図示され、ＴＤＤスロット構造要素により定義された保護時間（Ｇｕａｒｄ  Ｔｉｍｅ、ＧＴ）の分だけ時間的に分離されなければならない（図５によれば、ＧＴ１、ＧＴ２、ＧＴ３の分だけ時間的に分離されている）。ＳＴＡ動作が全て同一であれば、同じＳＴＡペアに割り当てられた隣接したＴＤＤスロットの送信及び受信は、隣接したＴＤＤスロット間で続くことができる。
【００６６】
ビームフォーミング動作を介してデータを送信しようとするＳＴＡは、開始者（ｉｎｉｔｉａｔｏｒ）と命名し、前記開始者からデータを送信されるＳＴＡは、応答者（ｒｅｓｐｏｎｄｅｒ）と命名する。図５によれば、開始者は、応答者にＴＸ  ＴＤＤスロット（ＴＤＤ  ｓｌｏｔ  ０、ＴＤＤ  ｓｌｏｔ  １、．．．、ＴＤＤ  ｓｌｏｔ  ｉ）でデータ（または、フレーム）を送信し、応答者は、開始者からＲＸ  ＴＤＤスロット（ＴＤＤ  ｓｌｏｔ  ｉ＋１、ＴＤＤ  ｓｌｏｔ  ｉ＋２、．．．、ＴＤＤ  ｓｌｏｔ  Ｍ）でデータ（または、フレーム）を受信できる。
【００６７】
以下では、本発明が適用される無線ＬＡＮシステムにおける物理階層構成について具体的に説明する。
【００６８】
１−４．物理階層構成
【００６９】
本発明の一実施形態に係る無線ＬＡＮシステムでは、次のような３つの異なる変調モードを提供できることを仮定する。
【００７０】
【表１】
0006838177.tif 000002
【００７１】
このような変調モードは、互いに相違した要求条件（例えば、高い処理率または安定性）を満足させるために用いられることができる。システムによってこれらのうち一部モードのみ支援することもできる。図６は、既存の無線フレームの物理構成を説明するための図である。
【００７２】
全てのＤＭＧ（Ｄｉｒｅｃｔｉｏｎａｌ  Ｍｕｌｔｉ−Ｇｉｇａｂｉｔ）物理階層は、図６に示されたようなフィールドを共通的に含むことと仮定する。ただし、それぞれのモードによって個別的なフィールドの規定方式及び使用される変調／コーディング方式において差を有することができる。
【００７３】
図６に示されたように、無線フレームのプリアンブルは、ＳＴＦ（Ｓｈｏｒｔ  Ｔｒａｉｎｉｎｇ  Ｆｉｅｌｄ）及びＣＥ（Ｃｈａｎｎｅｌ  Ｅｓｔｉｍａｔｉｏｎ）を含むことができる。また、無線フレームは、ヘッダ、及びペイロードとして、データフィールドと選択的にビームフォーミングのためのＴＲＮ（Ｔｒａｉｎｉｎｇ）フィールドを含むことができる。
【００７４】
図７及び図８は、図６の無線フレームのヘッダフィールドの構成を説明するための図である。
【００７５】
具体的に、図７は、ＳＣ（Ｓｉｎｇｌｅ  Ｃａｒｒｉｅｒ）モードが用いられる場合を図示している。ＳＣモードでヘッダは、スクランブリングの初期値を示す情報、ＭＣＳ（Ｍｏｄｕｌａｔｉｏｎ  ａｎｄ  Ｃｏｄｉｎｇ  Ｓｃｈｅｍｅ）、データの長さを示す情報、追加的なＰＰＤＵ（Ｐｈｙｓｉｃａｌ  Ｐｒｏｔｏｃｏｌ  Ｄａｔａ  Ｕｎｉｔ）の存在可否を示す情報、パケットタイプ、トレーニング長さ、Ａｇｇｒｅｇａｔｉｏｎ可否、ビームトレーニング要請可否、最後のＲＳＳＩ（Ｒｅｃｅｉｖｅｄ  Ｓｉｇｎａｌ  Ｓｔｒｅｎｇｔｈ  Ｉｎｄｉｃａｔｏｒ）、切断（ｔｒｕｎｃａｔｉｏｎ）可否、ＨＣＳ（Ｈｅａｄｅｒ  Ｃｈｅｃｋ  Ｓｅｑｕｅｎｃｅ）などの情報を含むことができる。また、図７に示されたように、ヘッダは、４ビットの留保ビット（ｒｅｓｅｒｖｅｄ  ｂｉｔｓ）を有しており、以下の説明では、このような留保ビットを活用することもできる。
【００７６】
また、図８は、ＯＦＤＭモードが適用される場合のヘッダの具体的な構成を図示している。ＯＦＤＭヘッダは、スクランブリングの初期値を示す情報、ＭＣＳ、データの長さを示す情報、追加的なＰＰＤＵの存在可否を示す情報、パケットタイプ、トレーニング長さ、Ａｇｇｒｅｇａｔｉｏｎ可否、ビームトレーニング要請可否、最後のＲＳＳＩ、切断可否、ＨＣＳ（Ｈｅａｄｅｒ  Ｃｈｅｃｋ  Ｓｅｑｕｅｎｃｅ）などの情報を含むことができる。また、図８に示されたように、ヘッダは、２ビットの留保ビットを有しており、以下の説明では、図７の場合と同様に、このような留保ビットを活用することもできる。
【００７７】
上述したように、ＩＥＥＥ８０２．１１ａｙシステムは、既存の１１ａｄシステムに初めてチャネルボンディング及びＭＩＭＯ技術の導入を考慮している。１１ａｙにおいてチャネルボンディング及びＭＩＭＯを実現するためには、新しいＰＰＤＵ構造が必要である。すなわち、既存の１１ａｄ  ＰＰＤＵ構造では、レガシー端末を支援するとともに、チャネルボンディングとＭＩＭＯを実現するには限界がある。
【００７８】
このために、レガシー端末を支援するためのレガシープリアンブル、レガシーヘッダフィールド後に１１ａｙ端末のための新しいフィールドを定義することができ、ここで、新しく定義されたフィールドを介してチャネルボンディングとＭＩＭＯを支援できる。
【００７９】
図９は、本発明の好ましい一実施形態に係るＰＰＤＵ構造を示した図である。図９において横軸は、時間領域に、縦軸は、周波数領域に対応することができる。
【００８０】
２個以上のチャネルをボンディングしたとき、各チャネルで使用される周波数帯域（例：１．８３ＧＨｚ）間には、所定大きさの周波数帯域（例：４００ＭＨｚ帯域）が存在しうる。Ｍｉｘｅｄ  ｍｏｄｅの場合、各チャネルを介してレガシープリアンブル（レガシーＳＴＦ、レガシーＣＥ）がｄｕｐｌｉｃａｔｅに送信されるが、本発明の一実施形態では、各チャネル間の４００ＭＨｚ帯域を介してレガシープリアンブルとともに、同時に新しいＳＴＦとＣＥフィールドの送信（ｇａｐ  ｆｉｌｌｉｎｇ）を考慮できる。
【００８１】
この場合、図９に示されたように、本発明に係るＰＰＤＵ構造は、ａｙ  ＳＴＦ、ａｙ  ＣＥ、ａｙヘッダＢ、ペイロード（ｐａｙｌｏａｄ）をレガシープリアンブル、レガシーヘッダ、及びａｙヘッダＡ以後に広帯域に送信する形態を有する。したがって、ヘッダフィールドの次に送信されるａｙヘッダ、ａｙ  Ｐａｙｌｏａｄフィールドなどは、ボンディングに使用されるチャネルを介して送信することができる。以下、ａｙヘッダをレガシーヘッダと区分するために、ＥＤＭＧ（ｅｎｈａｎｃｅｄ  ｄｉｒｅｃｔｉｏｎａｌ  ｍｕｌｔｉ−ｇｉｇａｂｉｔ）ヘッダと命名することができ、当該名称は、混用して使用されることができる。
【００８２】
一例に、１１ａｙには、合計６個または８個のチャネル（各２．１６ＧＨｚ）が存在し得るし、単一ＳＴＡでは、最大４個のチャネルをボンディングして送信することができる。これにより、ａｙヘッダとａｙ  Ｐａｙｌｏａｄとは、２．１６ＧＨｚ、４．３２ＧＨｚ、６．４８ＧＨｚ、８．６４ＧＨｚ帯域幅を介して送信することができる。
【００８３】
または、上述したようなＧａｐ−Ｆｉｌｌｉｎｇを行わずに、レガシープリアンブルを繰り返して送信するときのＰＰＤＵフォーマットも考慮することができる。
【００８４】
この場合、Ｇａｐ−Ｆｉｌｌｉｎｇを行わず、図８において点線で示されたＧＦ−ＳＴＦ及びＧＦ−ＣＥフィールドなしにａｙ  ＳＴＦ、ａｙ  ＣＥ、及びａｙ  ヘッダＢをレガシープリアンブル、レガシーヘッダ、及びａｙヘッダＡ以後に広帯域に送信する形態を有する。
【００８５】
図１０は、本発明に適用可能なＰＰＤＵ構造を簡単に示した図である。上述したＰＰＤＵフォーマットを簡単にまとめると、図１０のように示すことができる
【００８６】
図１０に示されたように、１１ａｙシステムに適用可能なＰＰＤＵフォーマットは、Ｌ−ＳＴＦ、Ｌ−ＣＥＦ、Ｌ−Ｈｅａｄｅｒ、ＥＤＭＧ−Ｈｅａｄｅｒ−Ａ、ＥＤＭＧ−ＳＴＦ、ＥＤＭＧ−ＣＥＦ、ＥＤＭＧ−Ｈｅａｄｅｒ−Ｂ、Ｄａｔａ、ＴＲＮフィールドを含むことができ、前記フィールドは、ＰＰＤＵの形態（例：ＳＵ  ＰＰＤＵ、ＭＵ  ＰＰＤＵ等）によって選択的に含まれることができる。
【００８７】
ここで、Ｌ−ＳＴＦ、Ｌ−ＣＥＦ、Ｌ−ｈｅａｄｅｒフィールドを含む部分は、非ＥＤＭＧ領域（Ｎｏｎ−ＥＤＭＧ  ｐｏｒｔｉｏｎ）と命名することができ、残りの部分は、ＥＤＭＧ領域と命名することができる。また、Ｌ−ＳＴＦ、Ｌ−ＣＥＦ、Ｌ−Ｈｅａｄｅｒ、ＥＤＭＧ−Ｈｅａｄｅｒ−Ａフィールドは、ｐｒｅ−ＥＤＭＧ  ｍｏｄｕｌａｔｅｄ  ｆｉｅｌｄｓと命名されることができ、残りの部分は、ＥＤＭＧ  ｍｏｄｕｌａｔｅｄ  ｆｉｅｌｄｓと命名されることができる。
【００８８】
上記のようなＰＰＤＵの（レガシー）プリアンブル部分は、パケット検出（ｐａｃｋｅｔ  ｄｅｔｅｃｔｉｏｎ）、ＡＧＣ（Ａｕｔｏｍａｔｉｃ  Ｇａｉｎ  Ｃｏｎｔｒｏｌ）、周波数オフセット測定（ｆｒｅｑｕｅｎｃｙ  ｏｆｆｓｅｔ  ｅｓｔｉｍａｔｉｏｎ）、同期化（ｓｙｎｃｈｒｏｎｉｚａｔｉｏｎ）、変調（ＳＣまたはＯＦＤＭ）の指示、及びチャネル測定（ｃｈａｎｎｅｌ  ｅｓｔｉｍａｔｉｏｎ）に使用されることができる。プリアンブルのフォーマットは、ＯＦＤＭパケット及びＳＣパケットに対して共通することができる。このとき、前記プリアンブルは、ＳＴＦ（Ｓｈｏｒｔ  Ｔｒａｉｎｉｎｇ  Ｆｉｅｌｄ）及び前記ＳＴＦフィールド以後に位置したＣＥ（Ｃｈａｎｎｅｌ  Ｅｓｔｉｍａｔｉｏｎ）フィールドで構成されることができる。（The  preamble  is  the  part  of  the  PPDU  that  is  used  for  packet  detection、AGC,  frequency  offset  estimation,  synchronization,  indication  of  modulation(SC  or  OFDM)  and  channel  estimation.  The  format  of  the  preamble  is  common  to  both  OFDM  packets  and  SC  packets.  The  preamble  is  composed  of  two  parts:  the  Short  Training  field  and  the  Channel  Estimation  field.）
【００８９】
２．本発明に適用可能なビームフォーミング手順
【００９０】
上述したように、本発明が適用可能な１１ａｙシステムでは、複数のチャネルを同時に用いてデータを送信するチャネルボンディング（ｃｈａｎｎｅｌ  ｂｏｎｄｉｎｇ）、チャネル結合（ｃｈａｎｎｅｌ  ａｇｇｒｅｇａｔｉｏｎ）、ＦＤＭＡなどの方法が適用され得る。特に、本発明が適用可能な１１ａｙシステムでは、高周波帯域の信号を活用するところ、信頼性高く信号を送受信するためには、ビームフォーミング動作が適用され得る。
【００９１】
ただし、従来の１１ａｄシステムでは、１つのチャネルに対するビームフォーミング方法だけを開示しており、複数のチャネルに対して適用可能なビームフォーミング方法については全く示唆していない。これにより、本発明では、１１ａｙシステムによって複数のチャネルを介してのデータ送信方法（例：チャネルボンディング、チャネル結合、ＦＤＭＡ等）に適用可能なビームフォーミング手順を提案する。
【００９２】
より具体的に、以下では、ＳＴＡがビームフォーミングを介してのデータ送信を行うために、データ送信に先立って１つのチャネルに対してのみビームフォーミングを行う方法（２．１．節）について詳細に説明する。
【００９３】
２．１．１つのチャネルに対してのみビームフォーミングを実行
【００９４】
図１１は、本発明の一例によって１つのチャネルに対してビームフォーミングを行う動作を示した図である。図１１において、ビームフォーミング動作を介してデータを送信しようとするＳＴＡは、開始者（ｉｎｉｔｉａｔｏｒ）と命名し、前記開始者からデータを送信されるＳＴＡは、応答者（ｒｅｓｐｏｎｄｅｒ）と命名する。また、図１１では、合計２個のチャネル（例：ＣＨ１、ＣＨ２）だけを開示したが、本発明の構成は、３個以上のチャネルを介してのチャネルボンディング、チャネル結合などにも拡張適用されることができる。
【００９５】
図１１に示されたように、本発明の一例によるビームフォーミング手順は、ＳＬＳ（Ｓｅｃｔｏｒ  Ｌｅｖｅｌ  Ｓｗｅｅｐ）ステップ（ｐｈａｓｅ）、チャネルボンディング設定ステップ（ｃｈａｎｎｅｌ  ｂｏｎｄｉｎｇ  ｓｅｔｕｐ  ｐｈａｓｅ）、チャネルボンディング送信ステップ（ｃｈａｎｎｅｌ  ｂｏｎｄｉｎｇ  ｔｒａｎｓｍｉｓｓｉｏｎ  ｐｈａｓｅ）で構成されることができる。以下、各ステップ別の特徴について詳細に説明する。
【００９６】
２．１．１．ＳＬＳステップ（ＳＬＳ  ｐｈａｓｅ）
【００９７】
本発明が適用可能な１１ａｙシステムで支援する６０ＧＨｚ帯域では、データ、制御情報などをより信頼性高く伝達するために、オムニ（ｏｍｎｉ）送信方式でない指向的（ｄｉｒｅｃｔｉｏｎａｌ）送信方式が適用され得る。
【００９８】
このための過程として、データを送受信しようとするＳＴＡは、ＳＬＳ過程を介して開始者及び応答者に対するＴＸまたはＲＸベストセクタ（ｂｅｓｔ  ｓｅｃｔｏｒ）を互いに分かることができる。
【００９９】
より具体的な説明のために、前記ＳＬＳステップに適用可能な構成を図面を参照して詳細に説明する。
【０１００】
図１２は、本発明に適用可能なビームフォーミングトレーニング過程の一例を示す。
【０１０１】
Ａ−ＢＦＴ（Ａｓｓｏｃｉａｔｉｏｎ  ＢｅａｍＦｏｒｍｉｎｇ  Ｔｒａｉｎｉｎｇ）割当内に発生するＢＦトレーニングにおいて、ＡＰまたはＰＣＰ／ＡＰは、開始者であり、非−ＡＰ及び非−ＰＣＰ／ＡＰ  ＳＴＡは、応答者となる。ＳＰ割当内に発生するＢＦトレーニングにおいて、前記ＳＰのソース（ＥＤＭＧ）ＳＴＡは、開始者であり、前記ＳＰの目的地ＳＴＡは、応答者となる。ＴＸＯＰ（Ｔｒａｎｓｍｉｓｓｉｏｎ  Ｏｐｐｏｒｔｕｎｉｔｙ）割当内のＢＦトレーニングにおいて、ＴＸＯＰホルダ（ｈｏｌｄｅｒ）は、開始者であり、ＴＸＯＰ応答者は、応答者となる。
【０１０２】
前記開始者から前記応答者へのリンク（ｌｉｎｋ）は、開始者リンク（ｉｎｉｔｉａｔｏｒ  ｌｉｎｋ）と命名し、前記応答者から前記開始者へのリンクは、応答者リンク（ｒｅｓｐｏｎｄｅｒ  ｌｉｎｋ）と命名する。
【０１０３】
ＢＦトレーニングは、開始者からのＳＬＳ（Ｓｅｃｔｏｒ  Ｌｅｖｅｌ  Ｓｗｅｅｐ）とともに始める。ＳＬＳステップの目的は、制御ＰＨＹレートまたは上位ＭＣＳで２つのＳＴＡ間の通信を可能なようにすることである。特に、ＳＬＳステップは、ただＢＦトレーニングを送信することだけを提供する。
【０１０４】
追加的に、開始者または応答者の要請があれば、前記ＳＬＳに続き、ＢＲＰ（Ｂｅａｍ  Ｒｅｆｉｎｅｍｅｎｔ  ＰｒｏｔｏｃｏｌまたはＢｅａｍ  Ｒｅｆｉｎｅｍｅｎｔ  Ｐｈａｓｅ）がつながり得る。
【０１０５】
ＢＲＰステップ（ｐｈａｓｅ）の目的は、受信トレーニングを可能なようにし、全てのＳＴＡで全ての送信機及び受信機のＡＷＶ（Ａｎｔｅｎｎａ  Ｗｅｉｇｈｔ  Ｖｅｃｔｏｒ）の繰り返し的な精製（ｉｔｅｒａｔｉｖｅ  ｒｅｆｉｎｅｍｅｎｔ）を可能なようにすることである。仮りに、ビームトレーニングに参加するＳＴＡのうち１つがただ１つの送信アンテナパターンを利用することと選択すれば、受信トレーニングは、ＳＬＳステップの一部で行われることができる。
【０１０６】
ＳＬＳステップについてより具体的に説明すれば、前記ＳＬＳステップは、次の４つの要素を含むことができる：開始者リンクをトレーニングするためのＩＳＳ（Ｉｎｉｔｉａｔｏｒ  Ｓｅｃｔｏｒ  Ｓｗｅｅｐ）、応答者リンクをトレーニングするためのＲＳＳ（Ｒｅｓｐｏｎｄｅｒ  Ｓｅｃｔｏｒ  Ｓｗｅｅｐ）、ＳＳＷフィードバック、ＳＳＷ  ＡＣＫ。
【０１０７】
開始者は、ＩＳＳのフレーム（等）を送信することによってＳＬＳステップを始める。
【０１０８】
応答者は、前記ＩＳＳが成功的に完了する前に、ＲＳＳのフレーム（等）の送信を始めない。ただし、ＩＳＳがＢＴＩ内で発生する場合には例外でありうる。
【０１０９】
開始者は、ＲＳＳステップ（ｐｈａｓｅ）が成功的に完了する前に、ＳＳＷフィードバックを始めない。ただし、前記ＲＳＳがＡ−ＢＦＴ内で発生する場合には例外でありうる。応答者は、前記Ａ−ＢＦＴ内で開始者のＳＳＷ  ＡＣＫを始めない。
【０１１０】
応答者は、開始者のＳＳＷフィードバックの成功的な完了以後に、直ちに前記開始者のＳＳＷ  ＡＣＫを始める。
【０１１１】
ＳＬＳステップの間、開始者が送信するＢＦフレームは、（ＥＤＭＧ）ビーコンフレーム、ＳＳＷフレーム、及びＳＳＷフィードバックフレームを含むことができる。前記ＳＬＳステップの間、応答者が送信するＢＦフレームは、ＳＳＷフレーム及びＳＳＷ−ＡＣＫフレームを含むことができる。
【０１１２】
ＳＬＳの間、開始者及び応答者が各々ＴＸＳＳ（Ｔｒａｎｓｍｉｔ  Ｓｅｃｔｏｒ  Ｓｗｅｅｐ）を行うようになると、前記ＳＬＳステップの最後に前記開始者及び応答者は、それら自分の送信セクタを保有（ｐｏｓｅｓｓ）するようになる。仮りに、ＩＳＳまたはＲＳＳが受信セクタスイープ（ｒｅｃｅｉｖｅ  ｓｅｃｔｏｒ  ｓｗｅｅｐ）を使用すれば（ｅｍｐｌｏｙ）、応答者または開始者の各々は、それら自分の受信セクタを保有するようになる。
【０１１３】
ＳＴＡは、セクタスイープの間、送信電力を変更しない。
【０１１４】
図１３及び図１４は、ＳＬＳステップの例示を示した図である。
【０１１５】
図１３において、開示者は、多くのセクタを有しており、応答者は、ＲＳＳで使用される１つの送信セクタ及び受信セクタを有する。これにより、応答者は、全ての応答者ＳＳＷフレームを同一の送信セクタを介して送信し、かつ、開始者は、受信アンテナを変更（ｓｗｉｔｃｈｉｎｇ）する。
【０１１６】
図１４において開始者は、多くの送信セクタを有しており、応答者は、１つの送信セクタを有する。この場合、開始者のための受信トレーニングは、ＢＲＰステップで行われることができる。
【０１１７】
このようなＳＬＳは、次のようにまとめることができる。
【０１１８】
ＳＬＳは、本発明が適用可能な８０２．１１ａｙシステムでリンク感知（ｌｉｎｋ  ｄｅｔｅｃｔｉｏｎ）を行うプロトコルであって、ネットワークノードがビームの方向のみを変更しつつ、同じ情報を含むフレームを連続的に送受信し、成功的に受信されたフレームのうち、受信チャネルリンクの性能を示す指標（例：ＳＮＲ（Ｓｉｇｎａｌ  ｔｏ  Ｒａｔｉｏ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）等）が最も良いビーム方向を選択するビーム訓練方式である。
【０１１９】
続いて、ＢＲＰは、次のようにまとめることができる。
【０１２０】
ＢＲＰは、ＳＬＳまたは他の手段により決定されたビーム方向でデータ送信率を最大化できるビーム方向を細かく調節するプロトコルであって、必要に応じて行われることができる。このようなＢＲＰは、ＢＲＰプロトコルのために定義された、ビーム訓練情報と訓練結果を報告する情報を含むＢＲＰフレームを用いてビーム訓練を行う。例えば、ＢＲＰは、以前ビーム訓練により決定されたビームを用いてＢＲＰフレームを送受信し、成功的に送受信されたＢＲＰフレームの最後の部分に含まれたビーム訓練シーケンス（ｂｅａｍ  ｔｒａｉｎｉｎｇ  ｓｅｑｕｅｎｃｅ）を用いて実質的にビーム訓練を行うビーム訓練方式である。ＳＬＳは、ビーム訓練のためにフレーム自体を用いるが、ＢＲＰは、ビーム訓練シーケンスのみを用いるという点で相違することができる。
【０１２１】
このような、ＳＬＳステップは、ＢＨＩ（Ｂｅａｃｏｎ  Ｈｅａｄｅｒ  Ｉｎｔｅｒｖａｌ）及び／又はＤＴＩ（Ｄａｔａ  Ｔｒａｎｓｆｅｒ  Ｉｎｔｅｒｖａｌ）内に行われることができる。
【０１２２】
まず、ＢＨＩの間に行われるＳＬＳステップは、１１ａｄシステムとの共存のために、１１ａｄシステムで定義されたＳＬＳステップと同一でありうる。
【０１２３】
続いて、ＤＴＩの間に行われるＳＬＳステップは、開始者及び応答者間ビームフォーミングトレーニングが行われていないか、ビームフォーミングリンク（ＢＦ  ｌｉｎｋ）を失った場合、行われることができる。このとき、前記開始者及び応答者が１１ａｙ  ＳＴＡであれば、前記開始者及び応答者は、ＳＬＳステップのために、ＳＳＷフレームの代わりに、短いＳＳＷ（Ｓｈｏｒｔ  ＳＳＷ）フレームを送信できる。
【０１２４】
ここで、前記短いＳＳＷ（Ｓｈｏｒｔ  ＳＳＷ）フレームは、ＤＭＧ制御ＰＨＹまたはＤＭＧ制御モードＰＰＤＵのデータフィールド内の短いＳＳＷパケット（ｐａｃｋｅｔ）が含まれたフレームと定義されることができる。このとき、前記短いＳＳＷ（Ｓｈｏｒｔ  ＳＳＷ）パケットの具体的なフォーマットは、前記短いＳＳＷパケットが送信される用途（例：Ｉ−ＴＸＳＳ、Ｒ−ＴＸＳＳ等）によって異なるように設定されることができる。
【０１２５】
上述したＳＬＳステップの特徴は、以後に説明する全てのＳＬＳステップにも適用されることができる。
【０１２６】
２．１．２．チャネルボンディング設定ステップ（Ｃｈａｎｎｅｌ  ｂｏｎｄｉｎｇ  Ｓｅｔｕｐ  Ｐｈａｓｅ）
【０１２７】
図１１に示すように、前記ステップでデータ通信をしようとするＳＴＡ（例：開始者、応答者等）は、ＲＴＳ（ｓｅｔｕｐ  ｆｒａｍｅ）とＤＭＧ  ＣＴＳ（ｆｅｅｄｂａｃｋ  ｆｒａｍｅ）をやり取りしながら、チャネルボンディング、チャネル結合、ＦＤＭＡ送信などのための制御情報を送受信できる。このとき、互いが送受信する情報では、チャネル情報、チャネル帯域幅などのチャネルボンディング、チャネル結合、ＦＤＭＡなどの複数のチャネルを使用した送信方法のための情報が適用され得る。
【０１２８】
本実施形態では、上述したＳＬＳステップを介して１つのチャネル（例：ｐｒｉｍａｒｙ  ｃｈａｎｎｅｌ）に対するビームフォーミングトレーニングを行ったところ、開始者及び応答者は、前記１つのチャネルに対するビームフォーミング結果（例：ベストセクタの方向）が他のチャネルにも同様に適用可能であると仮定することができる。これにより、前記開始者及び応答者は、複数のチャネルを介してＲＴＳ、ＤＭＧ  ＣＴＳを送信するとき、先にＳＬＳステップを介して決定されたベストセクタ方向を全てのチャネルに対して適用して前記ＲＴＳ、ＤＭＧ  ＣＴＳを送信できる。
【０１２９】
２．１．３．チャネルボンディング送信ステップ（Ｃｈａｎｎｅｌ  ｂｏｎｄｉｎｇ  ｔｒａｎｓｍｉｓｓｉｏｎ  Ｐｈａｓｅ）
【０１３０】
図１１に示されたように、開始者は、送信したＲＴＳに対する応答であるＤＭＧ  ＣＴＳを受信した後、応答者と交渉されたチャネル情報、チャネル帯域幅などの情報を利用して、遊休した（ｉｄｌｅ）複数個のチャネルを使用して実際データを送信できる。
【０１３１】
より具体的に、開始者は、上述したチャネルボンディング設定ステップを介して応答者とＲＴＳ、ＤＭＧ  ＣＴＳを送受信し、チャネルボンディング（または、チャネル結合）方法を適用する実際チャネルに関する情報を送受信できる。
【０１３２】
一例に、図１１には図示されていないが、開始者は、合計４個のチャネルを介してＲＴＳを送信したが、応答者から２個のチャネルに対するＤＭＧ  ＣＴＳを受信できる。なぜなら、応答者は、残りの２個のチャネルが現在ビジー（ｂｕｓｙ）状態または使用不可能な状態と判断したためである。
【０１３３】
このような方法を介して、開始者及び応答者は、実質的にデータ送信に活用可能なチャネルに関する情報を取得でき、開始者は、実質的に活用可能なチャネルを介してデータを送信することができる。
【０１３４】
このとき、開始者及び応答者は、１つのチャネル（例：ＣＨ１、ｐｒｉｍａｒｙ  ｃｈａｎｎｅｌ）に対するビームフォーミングトレーニングを行ったところ、前記１つのチャネルを介して取得したビームフォーミングトレーニング結果（例：ベストセクタ方向）を全てのチャネルに適用してデータ信号を送受信できる。
【０１３５】
図１１では、開始者がチャネルボンディングを介してデータを送信する動作のみを開示したが、前記開始者は、チャネル結合方法でデータを送信することもできる。
【０１３６】
これに対応して、応答者は、前記開始者がデータを送信したチャネルを介してＡＣＫフレームを送信できる。このとき、前記ＡＣＫフレームは、前記開始者がデータを送信した各チャネルを介して複製（ｄｕｐｌｉｃａｔｅ）されて送信されるか、チャネルボンディングされて送信されることができる。
【０１３７】
３．ＤＭＧ  Ｌｉｎｋ  ａｄａｐｔａｔｉｏｎ
【０１３８】
ここでは、８０２．１１ａｄで提案されたＤＭＧ  Ｌｉｎｋ  ａｄａｐｔａｔｉｏｎについて説明する。
【０１３９】
ＳＴＡは、Ｌｉｎｋ  Ｍｅａｓｕｒｅｍｅｎｔ  Ｒｅｐｏｒｔ  ｆｒａｍｅで応答するようにフレームのＲＡフィールドに表示されたＳＴＡを要請するために、Ｌｉｎｋ  Ｍｅａｓｕｒｅｍｅｎｔ  Ｒｅｑｕｅｓｔ  ｆｒａｍｅを送信できる。Ｌｉｎｋ  Ｍｅａｓｕｒｅｍｅｎｔ  Ｒｅｑｕｅｓｔ  ｆｒａｍｅがＤＭＧで定義されたＰＰＤＵ内に送信されるならば、Ｌｉｎｋ  Ｍｅａｓｕｒｅｍｅｎｔ  Ｒｅｐｏｒｔ  ｆｒａｍｅは、ＤＭＧ  Ｌｉｎｋ  Ｍａｒｇｉｎ  ｅｌｅｍｅｎｔを含まなければならない。要請ＳＴＡは、Ｌｉｎｋ  Ｍｅａｓｕｒｅｍｅｎｔ  Ｒｅｐｏｒｔ  ｆｒａｍｅのＲＡフィールドに表示されたＳＴＡにフレームを送信するために、ＳＮＲ及びＬｉｎｋ  ＭａｒｇｉｎのＭＣＳ値を使用できる。
【０１４０】
要請ＳＴＡは、ｄａｔａ  ｅｎａｂｌｅｄ  ｉｍｍｅｄｉａｔｅ  ｒｅｓｐｏｎｓｅ  ｃｏｎｔｅｘｔに含まれたＡ−ＭＰＤＵ内容とｃｏｎｔｒｏｌ  ｒｅｓｐｏｎｓｅ  ｃｏｎｔｅｘｔに含まれたＡ−ＭＰＤＵ  ｃｏｎｔｅｎｔｓ  ＭＰＤＵｓで定義されたＡ−ＭＰＤＵにＬｉｎｋ  Ｍｅａｓｕｒｅｍｅｎｔ  Ｒｅｑｕｅｓｔ  ｆｒａｍｅを結合できる。
【０１４１】
Ｌｉｎｋ  Ｍｅａｓｕｒｅｍｅｎｔ  ＲｅｑｕｅｓｔフレームのＤｉａｌｏｇ  Ｔｏｋｅｎフィールドが０でない値と同じであれば、応答するＳＴＡは、要請するＳＴＡから受信した次のフレームで測定を行い、受信されたフレームに該当するＬｉｎｋ  Ｍｅａｓｕｒｅｍｅｎｔ  Ｒｅｐｏｒｔフレームを戻さなければならない。
【０１４２】
応答するＳＴＡは、ｄａｔａ  ｅｎａｂｌｅｄ  ｉｍｍｅｄｉａｔｅ  ｒｅｓｐｏｎｓｅ  ｃｏｎｔｅｘｔに含まれたＡ−ＭＰＤＵ内容とｃｏｎｔｒｏｌ  ｒｅｓｐｏｎｓｅ  ｃｏｎｔｅｘｔに含まれたＡ−ＭＰＤＵ  ｃｏｎｔｅｎｔｓ  ＭＰＤＵｓで定義されたとおり、Ａ−ＭＰＤＵのＬｉｎｋ  Ｍｅａｓｕｒｅｍｅｎｔ  Ｒｅｐｏｒｔフレームを結合できる。
【０１４３】
ＭＡＣ住所がＬｉｎｋ  Ｍｅａｓｕｒｅｍｅｎｔ  ＲｅｑｕｅｓｔフレームＲＡフィールドの値と同じＤＭＧ  ＳＴＡは、要請ＳＴＡに向かうＬｉｎｋ  Ｍｅａｓｕｒｅｍｅｎｔ  Ｒｅｐｏｒｔフレームを送信しなければならない。Ｌｉｎｋ  Ｍｅａｓｕｒｅｍｅｎｔ  ＲｅｐｏｒｔフレームのＲＡフィールドは、Ｌｉｎｋ  Ｍｅａｓｕｒｅｍｅｎｔ  ＲｅｑｕｅｓｔフレームのＴＡフィールドと同じでなければならない。
【０１４４】
Ｌｉｎｋ  Ｍｅａｓｕｒｅｍｅｎｔ  ＲｅｐｏｒｔフレームのＤｉａｌｏｇ  ＴｏｋｅｎフィールドがＬｉｎｋ  Ｍｅａｓｕｒｅｍｅｎｔ  Ｒｅｑｕｅｓｔフレームの０でないＤｉａｌｏｇ  Ｔｏｋｅｎフィールドと同じであれば、Ｌｉｎｋ  Ｍｅａｓｕｒｅｍｅｎｔ  ＲｅｐｏｒｔフレームのＭＣＳ、ＳＮＲ、及びＬｉｎｋ  ＭａｒｇｉｎフィールドのＰＰＤＵは、要請ＳＴＡから受信された次のフレームである。
【０１４５】
Ｌｉｎｋ  Ｍｅａｓｕｒｅｍｅｎｔ  ＲｅｑｕｅｓｔフレームのＤｉａｌｏｇ  Ｔｏｋｅｎフィールドが０である場合、応答するＳＴＡは、Ｌｉｎｋ  Ｍｅａｓｕｒｅｍｅｎｔ  ＲｅｐｏｒｔフレームのＭＣＳフィールドを要請ＳＴＡから受信されたフレームのうち任意のものに基づいて計算されたＭＣＳ値に設定することができる。
【０１４６】
Ｌｉｎｋ  Ｍｅａｓｕｒｅｍｅｎｔ  ＲｅｐｏｒｔフレームのＳＮＲフィールドとＬｉｎｋ  Ｍａｒｇｉｎフィールドとは、同じＬｉｎｋ  Ｍｅａｓｕｒｅｍｅｎｔ  Ｒｅｐｏｒｔフレームに含まれたＭＣＳフィードバックを生成するのに使用されたＰＰＤＵの受信に基づいて当該測定を表す。
【０１４７】
Ｌｉｎｋ  Ｍｅａｓｕｒｅｍｅｎｔ  Ｒｅｑｕｅｓｔ  ａｎｄ  Ｒｅｐｏｒｔフレームは、要求するＳＴＡ（例えば、ＭＣＳ変更または送信電力制御或いはＦＳＴ開始）による適切な動作を決定するのに使用され得るＬｉｎｋ  Ｍａｒｇｉｎ情報を取得するのに使用されることができる。
【０１４８】
ＳＴＡは、Ｄｉａｌｏｇ  Ｔｏｋｅｎフィールドが０に設定されたｕｎｓｏｌｉｃｉｔｅｄ  Ｌｉｎｋ  Ｍｅａｓｕｒｅｍｅｎｔ  Ｒｅｐｏｒｔフレームを送ることができる。
【０１４９】
以下では、ＤＭＧ  ＴＰＣ（Ｔｒａｎｓｍｉｔ  Ｐｏｗｅｒ  Ｃｏｎｔｒｏｌ）について説明する。
【０１５０】
送信電力の増加または減少を表すＤＭＧ  Ｌｉｎｋ  Ｍａｒｇｉｎ要素を含むＬｉｎｋ  Ｍｅａｓｕｒｅｍｅｎｔ  Ｒｅｐｏｒｔフレームを受信するＤＭＧ  ＳＴＡは、次の規則にしたがって動作する。
【０１５１】
・ＳＴＡがＬｉｎｋ  Ｍｅａｓｕｒｅｍｅｎｔ  ＲｅｐｏｒｔのＡｃｔｉｖｉｔｙフィールドに表示された推奨事項を実現する場合、ＳＴＡは、ＤＭＧ  Ｌｉｎｋ  Ａｄａｐｔａｔｉｏｎ  Ａｃｋｎｏｗｌｅｄｇｅｍｅｎｔ要素を含むＬｉｎｋ  Ｍｅａｓｕｒｅｍｅｎｔ  Ｒｅｐｏｒｔフレームを送信しなければならない。ＤＭＧ  Ｌｉｎｋ  Ａｄａｐｔａｔｉｏｎ  Ａｃｋｎｏｗｌｅｄｇｅｍｅｎｔ要素のＡｃｔｉｖｉｔｙフィールドは、受信されたＤＭＧ  Ｌｉｎｋ  Ｍａｒｇｉｎ  Ｓｕｂ−ｅｌｅｍｅｎｔのＡｃｔｉｖｉｔｙフィールドの値に設定されなければならない。
【０１５２】
・ＳＴＡがＬｉｎｋ  Ｍｅａｓｕｒｅｍｅｎｔ  ＲｅｐｏｒｔのＡｃｔｉｖｉｔｙフィールドに表示された推奨事項を実現しなければ、ＤＭＧ  Ｌｉｎｋ  Ａｄａｐｔａｔｉｏｎ  Ａｃｋｎｏｗｌｅｄｇｅｍｅｎｔ要素を含むＬｉｎｋ  Ｍｅａｓｕｒｅｍｅｎｔ  Ｒｅｐｏｒｔを送信できる。ＤＭＧ  Ｌｉｎｋ  Ａｄａｐｔａｔｉｏｎ  Ａｃｋｎｏｗｌｅｄｇｅｍｅｎｔ要素のＡｃｔｉｖｉｔｙフィールドは、ＳＴＡが送信電力を変更しなかったことを表す０に設定されなければならない。
【０１５３】
・ＳＴＡは、Ｌｉｎｋ  Ｍｅａｓｕｒｅｍｅｎｔ  Ｒｅｐｏｒｔの受信を確認した後、２×ａＰＰＤＵＭａｘＴｉｍｅ以後にＬｉｎｋ  Ｍｅａｓｕｒｅｍｅｎｔ  Ｒｅｐｏｒｔを送信してはならない。
【０１５４】
ＤＭＧ  ＳＴＡは、Ａｃｔｉｖｉｔｙフィールドが送信電力の増加または減少と同一の受信されたＬｉｎｋ  Ｍｅａｓｕｒｅｍｅｎｔ  Ｒｅｐｏｒｔフレームに応答してフレームが送信されない限り、Ｌｉｎｋ  Ｍｅａｓｕｒｅｍｅｎｔ  ＲｅｐｏｒｔフレームにＤＭＧ  Ｌｉｎｋ  Ａｄａｐｔａｔｉｏｎ  Ａｃｋｎｏｗｌｅｄｇｅｍｅｎｔ要素を含んではならない。
【０１５５】
以下では、Ｆａｓｔ  ｌｉｎｋ  ａｄａｐｔａｔｉｏｎについて説明する。
【０１５６】
図１５は、Ｆａｓｔ  ｌｉｎｋ  ａｄａｐｔａｔｉｏｎ手順の一例を図示する。
【０１５７】
図１５に示すように、ＳＴＡは、ＳＴＡのＤＭＧ  Ｃａｐａｂｉｌｉｔｉｅｓ要素のＦａｓｔ  Ｌｉｎｋ  Ａｄａｐｔａｔｉｏｎフィールドを１に設定することによってＦａｓｔ  ｌｉｎｋ  ａｄａｐｔａｔｉｏｎに対する支援を表す。Ｆａｓｔ  ｌｉｎｋ  ａｄａｐｔａｔｉｏｎを支援しないＳＴＡは、ＳＴＡのＤＭＧ  Ｃａｐａｂｉｌｉｔｉｅｓ要素のＦａｓｔ  Ｌｉｎｋ  Ａｄａｐｔａｔｉｏｎフィールドを０に設定する。Ｆａｓｔ  ｌｉｎｋ  ａｄａｐｔａｔｉｏｎを支援するＳＴＡは、Ｆａｓｔ  ｌｉｎｋ  ａｄａｐｔａｔｉｏｎを支援しないピア（ｐｅｅｒ）ＳＴＡとのＦａｓｔ  ｌｉｎｋ  ａｄａｐｔａｔｉｏｎを開始してはならない。
【０１５８】
Ｆａｓｔ  ｌｉｎｋ  ａｄａｐｔａｔｉｏｎを支援するＳＴＡは、逆方向プロトコルを支援しなければならない。Ｆａｓｔ  ｌｉｎｋ  ａｄａｐｔａｔｉｏｎの一部として、Ｌｉｎｋ  Ｍｅａｓｕｒｅｍｅｎｔ  Ｒｅｑｕｅｓｔフレームを送信するＳＴＡは、ＲＤ開始者でなければならず、Ｌｉｎｋ  Ｍｅａｓｕｒｅｍｅｎｔ  Ｒｅｐｏｒｔフレームで応答するＳＴＡは、ＲＤ応答者でなければならない。Ｌｉｎｋ  Ｍｅａｓｕｒｅｍｅｎｔ  Ｒｅｑｕｅｓｔ、Ｌｉｎｋ  Ｍｅａｓｕｒｅｍｅｎｔ  Ｒｅｐｏｒｔ、及び下記に定義されたフレームの送信は、逆方向プロトコルの規則にしたがわなければならない。
【０１５９】
ＳＴＡは、ｓｕｂｔｙｐｅのＡｃｔｉｏｎ  Ｎｏ  Ａｃｋであり、Ｄｉａｌｏｇ  Ｔｏｋｅｎフィールドが０に設定されたＬｉｎｋ  Ｍｅａｓｕｒｅｍｅｎｔ  Ｒｅｑｕｅｓｔフレームを送信することにより、Ｆａｓｔ  ｌｉｎｋ  ａｄａｐｔａｔｉｏｎを始める。フレームを含むＰＰＤＵは、ＴＸＶＥＣＴＯＲのＡＧＧＲＥＧＡＴＩＯＮ媒介変数をＡＧＧＲＥＧＡＴＥＤに設定しなければならず、即刻的な応答を要求する他のフレームであり、ａＭｉｎＰＰＤＵＤｕｒａｔｉｏｎＦｏｒＤＭＧＭｅａｓｕｒｅｍｅｎｔより大きい持続時間（ＰＨＹ−ＴＸＴＩＭＥ．ｃｏｎｆｉｒｍプリミティブにより決定される）を有さなければならない。
【０１６０】
ＰＰＤＵは、ＴＸＶＥＣＴＯＲのＡＧＧＲＥＧＡＴＩＯＮパラメータがＡＧＧＲＥＧＡＴＥＤに設定されているので、大きさが０であるＭＰＤＵ区分記号でＰＳＤＵをパディングできるので、送信持続時間要求事項を充足する。
【０１６１】
Ｆａｓｔ  ｌｉｎｋ  ａｄａｐｔａｔｉｏｎを支援し、ＡＧＧＲＥＧＡＴＥＤと同じＲＸＶＥＣＴＯＲのＡＧＧＲＥＧＡＴＩＯＮ媒介変数を有したＰＰＤＵに含まれたＤｉａｌｏｇ  Ｔｏｋｅｎフィールドが０であるｓｕｂｔｙｐｅ  Ａｃｔｉｏｎ  Ｎｏ  Ａｃｋのリンク測定要請フレームを受信するＳＴＡは、Ｌｉｎｋ  Ｍｅａｓｕｒｅｍｅｎｔ  Ｒｅｑｕｅｓｔフレームの受信からＢＲＰＩＦＳ以内のＬｉｎｋ  Ｍｅａｓｕｒｅｍｅｎｔ  Ｒｅｐｏｒｔフレームで応答しなければならない。Ｌｉｎｋ  Ｍｅａｓｕｒｅｍｅｎｔ  Ｒｅｐｏｒｔフレームで送信されたＴＰＣ報告要素、ＤＭＧ  Ｌｉｎｋ  Ｍａｒｇｉｎ要素、及び他のフィールドは、開始ＳＴＡからの最終受信リンク測定要求フレームを含むＰＰＤＵの測定値を反映しなければならない。
【０１６２】
Ｌｉｎｋ  Ｍｅａｓｕｒｅｍｅｎｔ  Ｒｅｐｏｒｔフレームで応答するＳＴＡは、即刻的な応答が必要なフレームを含まず、ａＭｉｎＰＰＤＵＤｕｒａｔｉｏｎＦｏｒＤＭＧＭｅａｓｕｒｅｍｅｎｔより長い持続時間を有するＰＰＤＵを送信することにより、ＩＦＳをＳＩＦＳより長くないように維持しなければならない。送信された全てのＰＰＤＵは、同じＭＣＳと同じ送信電力を使用しなければならない。
【０１６３】
送信されたＬｉｎｋ  Ｍｅａｓｕｒｅｍｅｎｔ  Ｒｅｐｏｒｔフレームは、ｓｕｂｔｙｐｅ  Ａｃｔｉｏｎ  Ｎｏ  Ａｃｋにならなければならず、ＭＣＳ１を使用して送信されなければならず、送信機の総帯域幅媒介変数が全体に設定されたＰＰＤＵ内で送信されなければならない。また、ＰＰＤＵは、即刻的な応答が必要なフレームを含んではならず、ａＭｉｎＰＰＤＵＤｕｒａｔｉｏｎＦｏｒＤＭＧＭｅａｓｕｒｅｍｅｎｔより長い持続時間を有さなければならない。
【０１６４】
Ｌｉｎｋ  Ｍｅａｓｕｒｅｍｅｎｔ  Ｒｅｐｏｒｔフレームの送信のための前記条件のうち、少なくとも１つが満たされなければ、ＳＴＡは、上述した規則にしたがって受信されたＬｉｎｋ  Ｍｅａｓｕｒｅｍｅｎｔ  Ｒｅｑｕｅｓｔフレームに応答することができる。
【０１６５】
Ｆａｓｔ  ｌｉｎｋ  ａｄａｐｔａｔｉｏｎを支援し、Ｌｉｎｋ  Ｍｅａｓｕｒｅｍｅｎｔ  Ｒｅｐｏｒｔフレームを受信するＳＴＡは、Ｌｉｎｋ  Ｍｅａｓｕｒｅｍｅｎｔ  Ｒｅｐｏｒｔフレームの受信からＢＲＰＩＦＳでないｕｎｓｏｌｉｃｉｔｅｄ  Ｌｉｎｋ  Ｍｅａｓｕｒｅｍｅｎｔ  Ｒｅｐｏｒｔフレームで応答しなければならない。受信されたＬｉｎｋ  Ｍｅａｓｕｒｅｍｅｎｔ  Ｒｅｐｏｒｔフレーム自体で始めるｕｎｓｏｌｉｃｉｔｅｄ  Ｌｉｎｋ  Ｍｅａｓｕｒｅｍｅｎｔ  Ｒｅｐｏｒｔフレームで送信されたＴＰＣ報告要素、ＤＭＧ  Ｌｉｎｋ  Ｍａｒｇｉｎ要素、及び他のフィールドは、受信されなかったＬｉｎｋ  Ｍｅａｓｕｒｅｍｅｎｔ  Ｒｅｐｏｒｔフレームを送信するＳＴＡにより受信された１つ以上のＰＰＤＵで取られた測定値を反映しなければならない。ｕｎｓｏｌｉｃｉｔｅｄ  Ｌｉｎｋ  Ｍｅａｓｕｒｅｍｅｎｔ  Ｒｅｐｏｒｔフレームがリンク測定報告フレームの受信からＳＩＦＳより長く送信される場合、ｕｎｓｏｌｉｃｉｔｅｄ  Ｌｉｎｋ  Ｍｅａｓｕｒｅｍｅｎｔ  Ｒｅｐｏｒｔフレームを送信するＳＴＡは、ｕｎｓｏｌｉｃｉｔｅｄ  Ｌｉｎｋ  Ｍｅａｓｕｒｅｍｅｎｔ  Ｒｅｐｏｒｔフレームを発行する前に、１つ以上のＰＰＤＵを送信することによってＩＦＳをＳＩＦＳより長く維持しなければならない。
【０１６６】
４．本発明に適用可能な実施形態
【０１６７】
上述したように、１１ａｄには、Ｌｉｎｋ  Ｍｅａｓｕｒｅｍｅｎｔ  ｒｅｑｕｅｓｔ  ｆｒａｍｅとＬｉｎｋ  Ｍｅａｓｕｒｅｍｅｎｔ  ｒｅｐｏｒｔ  ｆｒａｍｅを介してｔｒａｎｓｍｉｔ  ｐｏｗｅｒをｃｏｎｔｒｏｌするＤＭＧ  ＴＰＣ  ｐｒｏｃｅｄｕｒｅが定義されている。１１ａｙは、ＭＩＭＯを支援するため、既存のＤＭＧ  ＴＰＣ方法では、ＭＩＭＯ状況でＴＰＣ方法を適用できない。本明細書では、１１ａｙでＭＩＭＯ  ＴＰＣする方法について提案する。
【０１６８】
１１ａｄに定義されているｆｒａｍｅに情報を追加する方法を介してＥＤＭＧ  ＴＰＣを提案する。
【０１６９】
１１ａｙでＭＩＭＯとＣＡ（Ｃｈａｎｎｅｌ  Ａｇｇｒｅｇａｔｉｏｎ）ＴＰＣのために、ＥＤＭＧ  Ｌｉｎｋ  Ｍｅａｓｕｒｅｍｅｎｔ  ｒｅｑｕｅｓｔ  ｆｒａｍｅとＥＤＭＧ  Ｌｉｎｋ  Ｍｅａｓｕｒｅｍｅｎｔ  ｒｅｐｏｒｔ  ｆｒａｍｅとを新しく定義する。ＥＤＭＧ  ＴＰＣの場合は、ＭＩＭＯ  Ｔｒａｉｎｉｎｇが完了した後にすることができると仮定する。ＭＩＭＯ状況では、各ａｎｔｅｎｎａ別に他のｐａｔｈ  ｌｏｓｓを有することができ、このため、各ｒｅｃｅｉｖｅアンテナのｒｅｃｅｉｖｅｄ  ＳＮＲが変わることができる。したがって、各ａｎｔｅｎｎａ別にＴＰＣを行うようになると、上記で言及したｃａｓｅに対して解決することができる。
【０１７０】
４．１．ＥＤＭＧ  Ｌｉｎｋ  Ｍｅａｓｕｒｅｍｅｎｔ  ｒｅｑｕｅｓｔフレーム
【０１７１】
１１ａｙは、最大８ａｎｔｅｎｎａまで支援するので、合計何個のＴＸ  ａｎｔｅｎｎａが使用されるかに対してｉｎｄｉｃａｔｉｏｎしなければならない。
【０１７２】
また、ａｎｔｅｎｎａ別にＴＰＣをすることができなければならないので、各ａｎｔｅｎｎａ別にｔｒａｎｓｍｉｔ  ｐｏｗｅｒ  ｉｎｆｏｒｍａｔｉｏｎに対して知らせなければならない。提案するＥＤＭＧ  Ｌｉｎｋ  Ｍｅａｓｕｒｅｍｅｎｔ  ｒｅｑｕｅｓｔ  ｆｒａｍｅは、次のとおりである。
【０１７３】
図１６は、ＥＤＭＧ  Ｌｉｎｋ  Ｍｅａｓｕｒｅｍｅｎｔ  ｒｅｑｕｅｓｔフレームフォーマットの一例を示す。
【０１７４】
Ｌｉｎｋ  Ｍｅａｓｕｒｅｍｅｎｔ  Ｒｅｑｕｅｓｔフレームは、他のＳＴＡがＬｉｎｋ  Ｍｅａｓｕｒｅｍｅｎｔ  Ｒｅｐｏｒｔフレームで応答してリンク経路損失及びリンクマージン推定を可能なようにするためにＳＴＡにより送信される。ＥＤＭＧ  ＢＳＳで、ＥＤＭＧ  Ｌｉｎｋ  Ｍｅａｓｕｒｅｍｅｎｔ  ｒｅｑｕｅｓｔフレームは、アクションまたはアクションＮｏ  ＡＣＫフレームである。
【０１７５】
図１６に示すように、Ｄｉａｌｏｇ  Ｔｏｋｅｎフィールドは、ＳＴＡがｔｒａｎｓａｃｔｉｏｎを識別するための要請を送ることと選択された０でない値に設定される。
【０１７６】
Ｔｒａｎｓｍｉｔ  ｐｏｗｅｒ  Ｕｓｅｄフィールドは、Ｌｉｎｋ  Ｍｅａｓｕｒｅｍｅｎｔ  Ｒｅｑｕｅｓｔを含むフレームを送信するのに使用される送信電力に設定される。
【０１７７】
Ｍａｘ  Ｔｒａｎｓｍｉｔ  Ｐｏｗｅｒフィールドは、作動中であるチャネルで送信ＳＴＡが使用するアンテナコネクタの出力で測定された送信電力の上限を提供する。Ｍａｘ  Ｔｒａｎｓｍｉｔ  Ｐｏｗｅｒフィールドは、２ｓ補完（ｃｏｍｐｌｅｍｅｎｔ）符号がある整数であり、１オクテット長さであり、送信ＳＴＡで使用するアンテナコネクタの出力で当該ＳＴＡの運営チャネルで測定した送信電力に対するｄＢｍスケールの上限値を提供する。Ｍａｘ  Ｔｒａｎｓｍｉｔ  Ｐｏｗｅｒフィールドに報告された値の最大許容値は、±５ｄＢである。Ｍａｘ  Ｔｒａｎｓｍｉｔ  Ｐｏｗｅｒフィールドの値は、ＳＴＡが装置性能、政策、及び規制当局により動作チャネルで送信するように許容された最大電力の最小値と同一である。
【０１７８】
ＴＰＣ  Ｃｏｎｆｉｇｕｒａｔｉｏｎフィールドは、送信アンテナの数及びチャネル集合の表示を含む。
【０１７９】
Ｔｒａｎｓｍｉｔ  Ｐｏｗｅｒ  Ｉｎｆｏｒｍａｔｉｏｎフィールドは、選択的に存在する。存在する場合、Ｔｒａｎｓｍｉｔ  Ｐｏｗｅｒ  Ｉｎｆｏｒｍａｔｉｏｎのサブフィールドを含む。Ｔｒａｎｓｍｉｔ  Ｐｏｗｅｒ  Ｉｎｆｏｒｍａｔｉｏｎフィールドは、ＥＤＭＧ  Ｍｅａｓｕｒｅｍｅｎｔ  Ｒｅｑｕｅｓｔフィールドと呼ばれることができる。図１６の上段は、Ｔｒａｎｓｍｉｔ  Ｐｏｗｅｒ  Ｉｎｆｏｒｍａｔｉｏｎフィールドが存在するＬｉｎｋ  Ｍｅａｓｕｒｅｍｅｎｔ  Ｒｅｑｕｅｓｔフレームであり、図１６の下段は、ＥＤＭＧ  Ｍｅａｓｕｒｅｍｅｎｔ  Ｒｅｑｕｅｓｔフィールドが存在するＬｉｎｋ  Ｍｅａｓｕｒｅｍｅｎｔ  Ｒｅｑｕｅｓｔフレームである。ＥＤＭＧ  Ｍｅａｓｕｒｅｍｅｎｔ  Ｒｅｑｕｅｓｔフィールドについては後述する。
【０１８０】
図１７は、ＴＰＣ  Ｃｏｎｆｉｇｕｒａｔｉｏｎフィールドのフォーマットの一例を示す。
【０１８１】
図１７に示すように、ＴＸ  ＤＭＧ  Ａｎｔｅｎｎａの数は、送信電力が適応され得る送信アンテナの総個数を示す。このフィールドの値が０より大きければ、Ｌｉｎｋ  ＭｅａｓｕｒｅｍｅｎｔフレームのＴｒａｎｓｍｉｔ  Ｐｏｗｅｒ  Ｕｓｅｄ及びＭａｘ  Ｔｒａｎｓｍｉｔ  Ｐｏｗｅｒフィールドが留保（ｒｅｓｅｒｖｅｄ）される。
【０１８２】
ＴＰＣアンテナ構成フィールドのＣｈａｎｎｅｌ  Ａｇｇｒｅｇａｔｉｏｎサブフィールドが１に設定された場合、ＴＸ  ＤＭＧ  Ａｎｔｅｎｎａの数に対するサブフィールド値は偶数でなければならない。
【０１８３】
ＴＰＣ構成フィールドは、選択的に提供される。ＴＰＣ構成フィールドは、Ｌｉｎｋ  Ｍｅａｓｕｒｅｍｅｎｔ  Ｒｅｑｕｅｓｔを含むフレームが２．１６＋２．１６ＧＨｚまたは４．３２＋４．３２ＧＨｚチャネルを介して送信されるか否かと、使用された送信チェーンの数を表す。Ｂ０は、チャネルアグリゲーションの使用を表すために使用され、Ｂ１−Ｂ３は、送信チェーン数を表すのに使用され、Ｂ４−Ｂ７は、留保されている。Ｂ０が１に設定されれば、送信チェーン数は、偶数となる。
【０１８４】
図１８は、Ｔｒａｎｓｍｉｔ  Ｐｏｗｅｒ  Ｉｎｆｏｒｍａｔｉｏｎフィールドのフォーマットの一例を示す。
【０１８５】
各ＴＸアンテナＩＤｉサブフィールド、０≦ｉ≦ＮＴＸ、ここで、ＮＴＸは、ＴＰＣ構成フィールド内のＴＸ  ＤＭＧアンテナの個数サブフィールドの値であり、Ｔｒａｎｓｍｉｔ  Ｐｏｗｅｒ  Ｕｓｅｄ及びＭａｘ  Ｔｒａｎｓｍｉｔ  Ｐｏｗｅｒサブフィールドを識別する送信アンテナＩＤを含む。
【０１８６】
ＴＰＣアンテナ構成フィールドのＣｈａｎｎｅｌ  Ａｇｇｒｅｇａｔｉｏｎサブフィールドが１に設定された場合、１番目のＮＴＸ／２  ＴＸアンテナＩＤ、Ｔｒａｎｓｍｉｔ  Ｐｏｗｅｒ  Ｕｓｅｄ、及びＭａｘ  Ｔｒａｎｓｍｉｔ  ｐｏｗｅｒサブフィールドは、プライマリチャネルを含むチャネルに関するものであり、残りのサブフィールドは、プライマリチャネルを含まないチャネルに関するものである。
【０１８７】
それぞれのＴｒａｎｓｍｉｔ  Ｐｏｗｅｒ  Ｕｓｅｄサブフィールド、０≦ｉ≦ＮＴＸ、ここで、ＮＴＸは、ＴＰＣ構成フィールド内のＴＸ  ＤＭＧアンテナの個数サブフィールドの値であり、Ｌｉｎｋ  Ｍｅａｓｕｒｅｍｅｎｔ  Ｒｅｑｕｅｓｔを含むフレームを送信するのに使用されるそれぞれの送信アンテナの送信電力に設定される。
【０１８８】
それぞれのＭａｘ  Ｔｒａｎｓｍｉｔ  Ｐｏｗｅｒｉサブフィールド、０≦ｉ≦ＮＴＸ、ＮＴＸは、ＴＰＣ  Ｃｏｎｆｉｇｕｒａｔｉｏｎフィールド内のＴＸ  ＤＭＧ  Ａｎｔｅｎｎａの個数サブフィールドの値であり、送信側ＳＴＡが自分の運用チャネル上に使用されることができるアンテナコネクタの出力で測定された各送信アンテナの送信電力に対する上限を提供する。Ｍａｘ  Ｔｒａｎｓｍｉｔ  Ｐｏｗｅｒフィールドは、２ｓ補完符号がある整数であり、１オクテット長さであり、送信ＳＴＡが自分の運用チャネル上に使用されることができるアンテナコネクタの出力で測定した送信電力に対するｄＢｍスケールの上限値を提供する。Ｍａｘ  Ｔｒａｎｓｍｉｔ  Ｐｏｗｅｒフィールドに報告された値の最大許容値は、±５ｄＢである。Ｍａｘ  Ｔｒａｎｓｍｉｔ  Ｐｏｗｅｒフィールドの値は、ＳＴＡが装置性能、政策、及び規制当局により動作チャネルで送信するように許容された最大電力の最小値と同一である。
【０１８９】
図１９は、ＥＤＭＧ  Ｍｅａｓｕｒｅｍｅｎｔ  Ｒｅｑｕｅｓｔフィールドのフォーマットの一例を示す。
【０１９０】
図１９のＥＤＭＧ  Ｍｅａｓｕｒｅｍｅｎｔ  Ｒｅｑｕｅｓｔフィールドは、上記図１８のＴｒａｎｓｍｉｔ  Ｐｏｗｅｒ  Ｉｎｆｏｒｍａｔｉｏｎフィールドで各ＴＸアンテナＩＤｉサブフィールドが除かれたフォーマットを有し、１１ａｙで定義される。
【０１９１】
図１９に示すように、ＥＤＭＧ  Ｍｅａｓｕｒｅｍｅｎｔ  Ｒｅｑｕｅｓｔフィールドは、選択的に存在し、Ｌｉｎｋ  Ｍｅａｓｕｒｅｍｅｎｔ  Ｒｅｑｕｅｓｔを含むフレームを送信するのに使用されるそれぞれの送信チェーンの送信電力（Ｔｒａｎｓｍｉｔ  Ｐｏｗｅｒ  Ｕｓｅｄ１．．．ＮＴＸ）及び送信電力の上限（Ｍａｘ  Ｔｒａｎｓｍｉｔ  ｐｏｗｅｒ１．．．ＮＴＸ）を示す。Ｌｉｎｋ  Ｍｅａｓｕｒｅｍｅｎｔ  ＲｅｑｕｅｓｔフレームのＴｒａｎｓｍｉｔ  Ｐｏｗｅｒ  Ｕｓｅｄフィールド及びＭａｘ  Ｔｒａｎｓｍｉｔ  Ｐｏｗｅｒフィールドがある場合、前記フィールドは留保される。
【０１９２】
４．２．ＥＤＭＧ  Ｌｉｎｋ  Ｍｅａｓｕｒｅｍｅｎｔ  ｒｅｐｏｒｔフレーム
【０１９３】
ＥＤＭＧ  Ｌｉｎｋ  Ｍｅａｓｕｒｅｍｅｎｔ  ｒｅｑｕｅｓｔ  ｆｒａｍｅを受けたＳＴＡは、ｍｅａｓｕｒｅｍｅｎｔを行った後、結果に対してｒｅｐｏｒｔ  ｆｒａｍｅを送信しなければならない。受信したｆｒａｍｅには、各ａｎｔｅｎｎａ別にＩＤとｔｒａｎｓｍｉｔ  ｐｏｗｅｒ  ｉｎｆｏｒｍａｔｉｏｎが含まれている。受信した後、ｆｒａｍｅをｍｅａｓｕｒｅする。
【０１９４】
Ｒｅｐｏｒｔ  ｆｒａｍｅには、受信した全てのａｎｔｅｎｎａに対するｍｅａｓｕｒｅｍｅｎｔ結果が含まれなければならないので、総何個のｍｅａｓｕｒｅｍｅｎｔが行われたかｉｎｄｉｃａｔｉｏｎしなければならない。
【０１９５】
そして、ｒｅｐｏｒｔ  ｆｒａｍｅには、ＴＰＣ  ｒｅｐｏｒｔ  ｅｌｅｍｅｎｔが含まれるが、ＴＰＣ  ｒｅｐｏｒｔ  ｅｌｅｍｅｎｔには、ＥＤＭＧ  Ｌｉｎｋ  Ｍｅａｓｕｒｅｍｅｎｔ  ｒｅｐｏｒｔ  ｆｒａｍｅのｔｒａｎｓｍｉｔ  ｐｏｗｅｒ情報があるので、このｒｅｐｏｒｔ  ｆｒａｍｅがどのＴＸ  ａｎｔｅｎｎａに送信されたかｉｎｄｉｃａｔｉｏｎしなければならない。
【０１９６】
受信したｆｒａｍｅの各ａｎｔｅｎｎａのｐｏｗｅｒ  ｉｎｆｏｒｍａｔｉｏｎ  ｆｉｅｌｄ個数の分だけｍｅａｓｕｒｅｍｅｎｔ結果をｒｅｐｏｒｔしなければならない。各ａｎｔｅｎｎａ  ｐｏｗｅｒ  ｉｎｆｏｒｍａｔｉｏｎ  ｆｉｅｌｄに対してｍｅａｓｕｒｅｍｅｎｔ  ｒｅｓｕｌｔｓに含まなければならない情報は、下記のとおりである。
【０１９７】
Ａｃｔｉｖｉｔｙ−既存に定義されたｆｉｅｌｄで各ａｎｔｅｎｎａ別にｔｒａｎｓｍｉｔ  ｐｏｗｅｒを増加または減少できるので、全てのｒｅｑｕｅｓｔ  ｆｒａｍｅに対して各々ｒｅｐｏｒｔしなければならない。
【０１９８】
ＥＤＭＧ  ＭＣＳ−各ｒｅｑｕｅｓｔ  ｆｒａｍｅのＭＣＳ
【０１９９】
Ｌｉｎｋ  Ｍａｒｇｉｎ−各ｒｅｑｕｅｓｔ  ｆｒａｍｅのｌｉｎｋ  ｍａｒｇｉｎ
【０２００】
ＳＮＲ−各ｒｅｑｕｅｓｔ  ｆｒａｍｅのＳＮＲ
【０２０１】
また、ＥＤＭＧ  ＴＰＣ  Ｒｅｐｏｒｔ  Ｅｌｅｍｅｎｔには、Ｒｅｐｏｒｔ  ｆｒａｍｅを送るときに使用されるＴＸ  ａｎｔｅｎｎａ別にＡｎｔｅｎｎａ  ＩＤとｐｏｗｅｒ情報、ｌｉｎｋ  ｍａｒｇｉｎ  ｉｎｆｏｒｍａｔｉｏｎが含まれている。ｒｅｐｏｒｔ  ｆｒａｍｅを送るＳＴＡは、ｒｅｑｕｅｓｔ  ｆｒａｍｅに対する結果であるｍｅａｓｕｒｅｍｅｎｔをｒｅｐｏｒｔすると同時に、ｒｅｐｏｒｔ  ｆｒａｍｅを送信するＴＸ  ａｎｔｅｎｎａに対するａｎｔｅｎｎａ  ＩＤと各ａｎｔｅｎｎａのｐｏｗｅｒ情報、ｌｉｎｋ  ｍａｒｇｉｎ情報を送信することにより、ＴＰＣを要請する効果を有するようになる。
【０２０２】
提案するＥＤＭＧ  Ｌｉｎｋ  Ｍｅａｓｕｒｅｍｅｎｔ  ｒｅｐｏｒｔ  ｆｒａｍｅは、次のとおりである。
【０２０３】
図２０は、ＥＤＭＧ  Ｌｉｎｋ  Ｍｅａｓｕｒｅｍｅｎｔ  ｒｅｐｏｒｔフレームのフォーマットの一例を示す。
【０２０４】
図２１は、ＥＤＭＧ  Ｌｉｎｋ  Ｍｅａｓｕｒｅｍｅｎｔ  ｒｅｐｏｒｔフレームのフォーマットの他の例を示す。
【０２０５】
図２０のＭｅａｓｕｒｅｍｅｎｔ  Ｃｏｎｆｉｇｕｒａｔｉｏｎは、図２１のＲａｔｅ  Ａｄａｐｔａｔｉｏｎ  Ｃｏｎｔｒｏｌ  ｆｉｅｌｄ／ＴＰＣ  ｆｉｅｌｄに対応することができる。図２０のＥＤＭＧ  Ｌｉｎｋ  Ｍｅａｓｕｒｅｍｅｎｔ  ｆｉｅｌｄは、図２１のＥＤＭＧ  ＴＰＣ  ｆｉｅｌｄに対応することができる。このとき、図２０及び後述する図２２のＮは、図２１で定義するＮＴＸ（ＴＸ  ＤＭＧ  Ａｎｔｅｎｎａの個数）と同一である。
【０２０６】
図２１に示すように、Ｒａｔｅ  Ａｄａｐｔａｔｉｏｎ  Ｃｏｎｔｒｏｌ／ＥＤＭＧ  ＴＰＣフィールドは、報告された時空間ストリームの数（ＮＳＴＳ）と、その要素がＲａｔｅ  Ａｄａｐｔａｔｉｏｎ及びＴＰＣに使用される選択フィールドを含むか否かの表示を含む。
【０２０７】
Ｐａｒａｍｅｔｅｒｓ  Ａｃｒｏｓｓ  ＲＸ  Ｃｈａｉｎｓフィールドは、選択的に存在する。Ｒｘチェーンにパラメータのサブフィールドがあれば含まれる。
【０２０８】
Ｐａｒａｍｅｔｅｒｓ  ａｃｒｏｓｓ  ＰＰＤＵｓフィールドは、選択的に存在する。存在する場合、それは、ＰＰＤＵにわたってパラメータのサブフィールドを含む。
【０２０９】
Ｐａｒａｍｅｔｅｒｓ  ａｃｒｏｓｓ  ＬＤＰＣ  Ｃｏｄｅｗｏｒｄｓフィールドは、選択的に存在する。存在する場合、ＬＤＰＣコードワードにわたってパラメータのサブフィールドを含む。
【０２１０】
ＳＣブロック間またはＯＦＤＭシンボル間フィールドは、選択的に存在する。存在する場合、ＳＣブロックまたはＯＦＤＭシンボル全般にパラメータのサブフィールドが含まれる。
【０２１１】
ＥＤＭＧ  ＴＰＣフィールドは、選択的に存在する。存在する場合、報告された各送信チェーンのａｃｔｉｖｉｔｙ及びｌｉｎｋ  ｍａｒｇｉｎを含む。
【０２１２】
図２２は、Ｍｅａｓｕｒｅｍｅｎｔ  Ｃｏｎｆｉｇｕｒａｔｉｏｎフィールドのフォーマットの一例を示す。
【０２１３】
図２２に示すように、Ｎｕｍｂｅｒ  ｏｆ  Ｍｅａｓｕｒｅｍｅｎｔサブフィールドは、Ｌｉｎｋ  Ｍｅａｓｕｒｅｍｅｎｔ  Ｒｅｑｕｅｓｔフレームにより要請された総測定数を示す。このフィールドの値は、Ｌｉｎｋ  Ｍｅａｓｕｒｅｍｅｎｔフレーム内のＴＸ  ＤＭＧ  Ａｎｔｅｎｎａの数のサブフィールドの値と同じである。このフィールド値が０より大きければ、ＤＭＧ  Ｌｉｎｋ  Ｍａｒｇｉｎ要素のＡｃｔｉｖｉｔｙ、ＭＣＳ、ｌｉｎｋ  ｍａｒｇｉｎ、及びＳＮＲフィールドが留保される。
【０２１４】
ＴＰＣアンテナ構成フィールドのＣｈａｎｎｅｌ  Ａｇｇｒｅｇａｔｉｏｎサブフィールドが１に設定された場合、測定数サブフィールドの値は、偶数でなければならない。
【０２１５】
図２３は、Ｒａｔｅ  Ａｄａｐｔａｔｉｏｎ  Ｃｏｎｔｒｏｌ  ｆｉｅｌｄ／ＴＰＣ  ｆｉｅｌｄのフォーマットの一例を示す。
【０２１６】
図２３に示すように、Ｎｕｍｂｅｒ  ｏｆ  ＲＸ  ｃｈａｉｎｓ  Ｒｅｐｏｒｔｅｄフィールドは、報告されるＲＸチェーンエントリーの数を示す。各エントリーｉは、ＲＸチェーンｉに該当する。このフィールドの値が０より大きければ、ＤＭＧ  Ｌｉｎｋ  Ｍａｒｇｉｎ要素のＭＣＳ、Ｌｉｎｋ  Ｍａｒｇｉｎ、及びＳＮＲフィールドが留保される。
【０２１７】
Ｎｕｍｂｅｒ  ｏｆ  ＴＸ  Ｃｈａｉｎｓ  Ｒｅｐｏｒｔｅｄサブフィールドは、報告されるＴＸチェーンエントリーの数を示す。各エントリーｉは、ＴＸチェーンｉに該当する。このフィールドの値が０より大きければ、ＤＭＧ  Ｌｉｎｋ  Ｍａｒｇｉｎ要素のＭＣＳ、Ｌｉｎｋ  Ｍａｒｇｉｎ、及びＳＮＲフィールドが留保される。
【０２１８】
Ｎｕｍｂｅｒ  ｏｆ  Ｓｐａｃｅ−Ｔｉｍｅ  Ｓｔｒｅａｍｓ  Ｒｅｐｏｒｔｅｄ（ＮＳＴＳ）サブフィールドは、報告される時空間ストリームの数を示す。各エントリーｉは、時空間ストリームに該当する。このフィールドの値が０より大きければ、ＤＭＧ  Ｌｉｎｋ  Ｍａｒｇｉｎ要素のＭＣＳ、Ｌｉｎｋ  Ｍａｒｇｉｎ、及びＳＮＲフィールドが留保される。ｎｏｎ−ＥＤＭＧ  ＳＴＡの場合、このフィールドは、１に設定される。
【０２１９】
図２３のＲａｔｅ  Ａｄａｐｔａｔｉｏｎ  Ｃｏｎｔｒｏｌ  ｆｉｅｌｄ／ＴＰＣ  ｆｉｅｌｄは、図２２とは異なり、Ｃｈａｎｎｅｌ  Ａｇｇｒｅｇａｔｉｏｎサブフィールドが存在しない。
【０２２０】
図２４は、ＥＤＭＧ  Ｌｉｎｋ  Ｍｅａｓｕｒｅｍｅｎｔフィールドのフォーマットの一例を示す。
【０２２１】
図２４に示すように、各Ａｃｔｉｖｉｔｙｉサブフィールド、０≦ｉ≦Ｎ、ここで、Ｎは、Ｍｅａｓｕｒｅｍｅｎｔ  Ｃｏｎｆｉｇｕｒａｔｉｏｎフィールド内のＭｅａｓｕｒｅｍｅｎｔサブフィールドの数値である。この要素を送るＳＴＡは、ＲＡフィールドに表示されたピア（ｐｅｅｒ）ＳＴＡがＬｉｎｋ  Ｍｅａｓｕｒｅｍｅｎｔ  Ｒｅｐｏｒｔフレームの送信ＳＴＡがピアＳＴＡに対する適切な動作を決定する方法は、実現によって異なる。前記Ａｃｔｉｖｉｔｙサブフィールドで定義する適切な動作は、下記の表に定義される。
【０２２２】
【表２】
0006838177.tif 000003
【０２２３】
各Ｌｉｎｋ  Ｍａｒｇｉｎｉサブフィールド、０≦ｉ≦Ｎ、ここで、Ｎは、Ｍｅａｓｕｒｅｍｅｎｔ  Ｃｏｎｆｉｇｕｒａｔｉｏｎフィールド内のＭｅａｓｕｒｅｍｅｎｔサブフィールド数である。Ｌｉｎｋ  Ｍｅａｓｕｒｅｍｅｎｔ  ＲｅｐｏｒｔフレームのＲＡフィールドに表示されたピアＳＴＡから受信されたデータフレームの測定されたＬｉｎｋ  Ｍａｒｇｉｎを含み、デシベル単位の２ｓ補完符号でコーディングされる。−１２８の値は、Ｌｉｎｋ  Ｍａｒｇｉｎが提供されないことを示す。
【０２２４】
図２５は、ＥＤＭＧ  ＴＰＣフィールドのフォーマットの一例を示す。図２５は、図２４と同一に設定されることができる。図２５のＥＤＭＧ  ＴＰＣフィールドは、選択的に存在する。仮りに存在するならば、報告された各送信チェーンのＡｃｔｉｖｉｔｙとＬｉｎｋ  Ｍａｒｇｉｎを含む。ＤＭＧ  Ｌｉｎｋ  Ｍａｒｇｉｎ要素がＥＤＭＧ  ＴＰＣフィールドを含むと、ＥＤＭＧ  ＴＰＣフィールドの指示子は、１に設定される。ＤＭＧ  Ｌｉｎｋ  Ｍａｒｇｉｎ要素がＥＤＭＧ  ＴＰＣフィールドを含まないと、ＥＤＭＧ  ＴＰＣフィールドの指示子は、０に設定される。
【０２２５】
図２６は、ＤＭＧ  Ｌｉｎｋ  Ａｄａｐｔａｔｉｏｎ  Ａｃｋｎｏｗｌｅｄｇｍｅｎｔ  ｅｌｅｍｅｎｔのフォーマットの一例を示す。
【０２２６】
図２６に示すように、ＤＭＧ  Ｌｉｎｋ  Ａｄａｐｔａｔｉｏｎ  Ａｃｋｎｏｗｌｅｄｇｅｍｅｎｔ要素は、Ｌｉｎｋ  Ｍｅａｓｕｒｅｍｅｎｔ  ＲｅｐｏｒｔフレームのＯｐｔｉｏｎａｌ  Ｓｕｂ−ｅｌｅｍｅｎｔｓフィールドに含まれる。
【０２２７】
Ａｃｔｉｖｉｔｙフィールドは、Ｌｉｎｋ  Ｍｅａｓｕｒｅｍｅｎｔ  Ｒｅｐｏｒｔフレームで推奨活動を受信した後、この要素を送信したＳＴＡが実行した作業に設定される。
【０２２８】
ＥＤＭＧ活動フィールドは、各アンテナの推奨活動を受信した後に、この要素を送信するＳＴＡが行った動作に設定される。各アンテナの推奨活動は、Ｌｉｎｋ  Ｍｅａｓｕｒｅｍｅｎｔ  ＲｅｐｏｒｔフレームのＤＭＧ  Ｌｉｎｋ  Ｍａｒｇｉｎ要素内のＥＤＭＧ  Ｌｉｎｋ  Ｍｅａｓｕｒｅｍｅｎｔフィールドに表示される。
【０２２９】
ＤＭＧ  Ｌｉｎｋ  Ｍａｒｇｉｎ要素内の測定フィールド個数値が０でない値に設定されれば、Ａｃｔｉｖｉｔｙフィールドは予約され、ＥＤＭＧ  Ａｃｔｉｖｉｔｙフィールドが存在する。
【０２３０】
Ｒｅｆｅｒｅｎｃｅ  Ｔｉｍｅｓｔａｍｐフィールドは、ＰＰＰ受信の終了に対応するＭＡＣがＰＨＹ−ＣＣＡ．ｉｎｄｉｃａｔｉｏｎ（ＩＤＬＥ）プリミティブを受信した瞬間にサンプリングされたＴＳＦタイマー値の下位４オクテットを含む。
【０２３１】
図２７は、ＥＤＭＧ  Ａｃｔｉｖｉｔｙフィールドのフォーマットの一例を示す。
【０２３２】
図２７に示すように、各Ａｃｔｉｖｉｔｙｉ副フィールド、０≦ｉ≦Ｎ、ここで、Ｎは、ＤＭＧ  Ｌｉｎｋ  Ｍａｒｇｉｎ要素内のＭｅａｓｕｒｅｍｅｎｔサブフィールドの数であり、各アンテナの活動を示す。
【０２３３】
以下では、ＥＤＭＧ  ＴＰＣ手順について説明する。
【０２３４】
ＥＤＭＧ  ＴＰＣは、ＭＩＭＯビームフォーミングリンクを設定した後になされなければならない。
【０２３５】
ＳＴＡは、ＴＰＣ  Ｃｏｎｆｉｇｕｒａｔｉｏｎ内のＴＸ  ＤＭＧ  Ａｎｔｅｎｎａサブフィールドを０でない値に設定して、他のＳＴＡがＬｉｎｋ  Ｍａｒｇｉｎを報告するＤＭＧ  Ｌｉｎｋ  Ｍａｒｇｉｎ要素を含むＬｉｎｋ  Ｍｅａｓｕｒｅｍｅｎｔ  Ｒｅｐｏｒｔフレームで応答するように要請し、Ｌｉｎｋ  Ｍｅａｓｕｒｅｍｅｎｔ  Ｒｅｑｕｅｓｔフレームを送信できる。各アンテナのＴＸ  ＤＭＧ  Ａｎｔｅｎｎａ  Ｎｕｍｂｅｒフィールドが０に設定されれば、Ｔｒａｎｓｍｉｔ  Ｐｏｗｅｒ  Ｉｎｆｏｒｍａｔｉｏｎフィールドが予約される。
【０２３６】
Ｔｒａｎｓｍｉｔ  Ｐｏｗｅｒ  Ｉｎｆｏｒｍａｔｉｏｎフィールドは、各送信アンテナのＮＴＸ  ＴＸ  Ａｎｔｅｎｎａ  ＩＤ、Ｔｒａｎｓｍｉｔ  Ｐｏｗｅｒ  Ｕｓｅｄ、及びＭａｘ  Ｔｒａｎｓｍｉｔ  Ｐｏｗｅｒフィールドで構成される。ＮＴＸの値は、ＴＰＣ構成のＴＸ  ＤＭＧアンテナサブフィールドに表示される。
【０２３７】
ＴＰＣ構成内のＴＸ  ＤＭＧアンテナサブフィールドの数が０でないＬｉｎｋ  Ｍｅａｓｕｒｅｍｅｎｔ  Ｒｅｑｕｅｓｔフレームを受信したＳＴＡは、ＤＭＧ  Ｌｉｎｋ  Ｍａｒｇｉｎ要素内のＭｅａｓｕｒｅｍｅｎｔサブフィールドの個数が０でない値に設定されるとき、Ｌｉｎｋ  Ｍｅａｓｕｒｅｍｅｎｔ  Ｒｅｐｏｒｔフレームを送らなければならない。
【０２３８】
Ｔｒａｎｓｍｉｔ  Ｐｏｗｅｒ  Ｉｎｆｏｒｍａｔｉｏｎフィールドは、各送信アンテナのＮＴＸ  ＴＸ  Ａｎｔｅｎｎａ  ＩＤ、Ｔｒａｎｓｍｉｔ  Ｐｏｗｅｒ  Ｕｓｅｄ、及びＭａｘ  Ｔｒａｎｓｍｉｔ  Ｐｏｗｅｒフィールドで構成される。ＮＴＸの値は、ＴＰＣ構成のＴＸ  ＤＭＧアンテナサブフィールドに表示される。
【０２３９】
ＤＭＧ  Ｌｉｎｋ  Ｍａｒｇｉｎ要素内のＥＤＭＧ  Ｌｉｎｋ  Ｍｅａｓｕｒｅｍｅｎｔフィールドには、測定結果であるＮ個のＡｃｔｉｖｉｔｙ及びＬｉｎｋ  Ｍａｒｇｉｎサブフィールドがある。
【０２４０】
ＤＭＧ  Ｌｉｎｋ  Ｍａｒｇｉｎ要素内のＥＤＭＧ  ＴＰＣフィールドは、ＤＭＧ  Ｌｉｎｋ  Ｍａｒｇｉｎ要素が含まれたＬｉｎｋ  Ｍｅａｓｕｒｅｍｅｎｔ  Ｒｅｐｏｒｔフレームを送信するのに使用される各送信アンテナの個数サブフィールド及びＴＸアンテナＩＤ並びにＴｒａｎｓｍｉｔ  Ｐｏｗｅｒ  Ｕｓｅｄサブフィールドを含む。
【０２４１】
送信電力の増加または減少を表すＤＭＧ  Ｌｉｎｋ  Ｍａｒｇｉｎ要素を含むＬｉｎｋ  Ｍｅａｓｕｒｅｍｅｎｔ  Ｒｅｐｏｒｔフレームを受信するＥＤＭＧ  ＳＴＡは、次の規則にしたがって動作する。
【０２４２】
・ＳＴＡがＬｉｎｋ  Ｍｅａｓｕｒｅｍｅｎｔ  ＲｅｐｏｒｔのＥＤＭＧ  Ａｃｔｉｖｉｔｙフィールドに表示された勧告事項を実現する場合、Ｌｉｎｋ  Ｍｅａｓｕｒｅｍｅｎｔ  Ａｃｋｎｏｗｌｅｄｇｍｅｎｔフィールド内にＥＤＭＧ  Ａｃｔｉｖｉｔｙフィールドを含むＬｉｎｋ  Ｍｅａｓｕｒｅｍｅｎｔ  Ｒｅｐｏｒｔフレームを送らなければならない。Ｌｉｎｋ  Ａｄａｐｔａｔｉｏｎ  Ａｃｋｎｏｗｌｅｄｇｍｅｎｔ要素のＥＤＭＧ  Ａｃｔｉｖｉｔｙフィールドは、受信されたＥＤＭＧ  Ｌｉｎｋ  ＭｅａｓｕｒｅｍｅｎｔのＡｃｔｉｖｉｔｙフィールド値に設定されなければならない。
【０２４３】
・ＳＴＡがＬｉｎｋ  Ｍｅａｓｕｒｅｍｅｎｔ  ＲｅｐｏｒｔのＥＤＭＧ  Ａｃｔｉｖｉｔｙフィールドに表示された勧告事項を実現しなければ、Ｌｉｎｋ  Ａｄａｐｔａｔｉｏｎ  Ａｃｋｎｏｗｌｅｄｇｍｅｎｔ要素内にＥＤＭＧ  Ａｃｔｉｖｉｔｙフィールドを含むＬｉｎｋ  Ｍｅａｓｕｒｅｍｅｎｔ  Ｒｅｐｏｒｔを送ることができる。Ｌｉｎｋ  Ａｄａｐｔａｔｉｏｎ  Ａｃｋｎｏｗｌｅｄｇｍｅｎｔ要素のＥＤＭＧ  Ａｃｔｉｖｉｔｙフィールドは、ＳＴＡが各アンテナの送信電力を変更しなかったことを表す０に設定されなければならない。
【０２４４】
・ＳＴＡは、Ｌｉｎｋ  Ｍｅａｓｕｒｅｍｅｎｔ  Ｒｅｐｏｒｔの受信を確認した後、２×ａＰＰＤＵＭａｘＴｉｍｅ以後にＬｉｎｋ  Ｍｅａｓｕｒｅｍｅｎｔ  Ｒｅｐｏｒｔを送信してはならない。
【０２４５】
ＥＤＭＧ  ＳＴＡは、フレームが、ＥＤＭＧ  Ａｃｔｉｖｉｔｙフィールドが送信電力の増加または減少と同一の受信されたＬｉｎｋ  Ｍｅａｓｕｒｅｍｅｎｔ  Ｒｅｐｏｒｔフレームに対する応答として送信されなければ、Ｌｉｎｋ  Ｍｅａｓｕｒｅｍｅｎｔ  ＲｅｐｏｒｔフレームにＬｉｎｋ  Ａｄａｐｔａｔｉｏｎ  Ａｃｋｎｏｗｌｅｄｇｍｅｎｔ要素を含んではならない。
【０２４６】
図２８は、本実施形態に係る送信装置がＭＩＭＯ及びチャネルアグリゲーション状況でフレームを送信する手順フローチャートである。
【０２４７】
本実施形態は、８０２．１１ａｙシステムのＭＩＭＯ及びチャネルアグリゲーション状況で送信電力を調整するためのフレームを生成する方法を提案する。１１ａｄシステムのＤＭＧ  ＴＰＣ方法では、ＭＩＭＯ及びチャネルアグリゲーション状況で送信電力を調整できないので、１１ａｄに定義されたフレームに情報を追加して効率的なＴＰＣを行う方法を提案する。
【０２４８】
まず、用語をまとめると、リンク測定要請フレーム及びリンク測定報告フレームは、８０２．１１ａｙシステムで定義されたＥＤＭＧ（Ｅｎｈａｎｃｅｄ  Ｄｉｒｅｃｔｉｏｎａｌ  Ｍｕｌｔｉ−Ｇｉｇａｂｉｔ）フレーム（または、ＥＤＭＧ  ＰＰＤＵ）に対応することができる。したがって、後述するリンク測定要請フレーム及びリンク測定報告フレームに含まれたフィールドまたはサブフィールドは、ＥＤＭＧが適用され得る。
【０２４９】
Ｓ２８１０ステップにおいて、第１のＳＴＡ（ｓｔａｔｉｏｎ）は、ＴＰＣ（Ｔｒａｎｓｍｉｔ  Ｐｏｗｅｒ  Ｃｏｎｔｒｏｌ）情報を要請するリンク測定要請フレームを第２のＳＴＡに送信する。
【０２５０】
Ｓ２８２０ステップにおいて、前記第１のＳＴＡは、前記第２のＳＴＡから前記リンク測定要請フレームに対する応答として送信されたリンク測定報告フレームを受信する。
【０２５１】
前記リンク測定要請フレーム及び前記リンク測定報告フレームは、次のように定義されることができる。
【０２５２】
前記リンク測定要請フレームは、ＴＰＣ構成フィールドを含む。
【０２５３】
前記ＴＰＣ構成フィールドは、第１のサブフィールド及び第２のサブフィールドを含む。
【０２５４】
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含む。
【０２５５】
前記第２のサブフィールドは、前記リンク測定要請フレームの送信に使用される送信チェーン（Ｔｒａｎｓｍｉｔ  ｃｈａｉｎ）の数に関する情報を含む。
【０２５６】
前記リンク測定要請フレームが、前記チャネルアグリゲーションが行われたチャネルを介して送信されれば、前記送信チェーンの数は、偶数である。
【０２５７】
前記リンク測定要請フレームは、測定要請フィールドをさらに含むことができる。
【０２５８】
前記測定要請フィールドは、第３のサブフィールド及び第４のサブフィールドを含むことができる。
【０２５９】
前記第３のサブフィールドは、前記送信チェーンの各々に対して使用された送信電力に関する情報を含むことができる。
【０２６０】
前記第４のサブフィールドは、前記送信チェーンの各々に対する最大送信電力に関する情報を含むことができる。
【０２６１】
前記リンク測定報告フレームは、レート適応制御（ｒａｔｅ  ａｄａｐｔａｔｉｏｎ  ｃｏｎｔｒｏｌ）または第１のＴＰＣフィールドを含むことができる。前記レート適応制御または第１のＴＰＣフィールドは、報告される送信チェーンの数に関する情報を含むことができる。
【０２６２】
前記リンク測定報告フレームは、第２のＴＰＣフィールドをさらに含むことができる。
【０２６３】
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含むことができる。
【０２６４】
前記Ａｃｔｉｖｉｔｙサブフィールドは、前記第２のＳＴＡが前記報告される送信チェーンに対して前記第１のＳＴＡに推奨する推奨動作に関する情報を含むことができる。
【０２６５】
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定されることができる。
【０２６６】
前記Ｌｉｎｋ  Ｍａｒｇｉｎサブフィールドは、前記第２のＳＴＡが前記第１のＳＴＡに対して測定したリンクマージンに関する情報を含むことができる。
【０２６７】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更しないことができる。
【０２６８】
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させることができる。
【０２６９】
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させることができる。
【０２７０】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含むことができる。
【０２７１】
前記リンク適応確認要素は、Ａｃｔｉｖｉｔｙサブフィールドを含むことができる。
【０２７２】
前記Ａｃｔｉｖｉｔｙサブフィールドは、前記第１のＳＴＡが前記推奨動作を受信した以後に、前記送信チェーンの実際動作に関する情報を含むことができる。
【０２７３】
前記チャネルアグリゲーションが行われたチャネルは、２．１６＋２．１６ＧＨｚまたは４．３２＋４．３２ＧＨｚでありうる。
【０２７４】
図２９は、本実施形態に係る受信装置がＭＩＭＯ及びチャネルアグリゲーション状況でフレームを受信する手順を図示したフローチャートである。
【０２７５】
本実施形態は、８０２．１１ａｙシステムのＭＩＭＯ及びチャネルアグリゲーション状況で送信電力を調整するためのフレームを生成する方法を提案する。１１ａｄシステムのＤＭＧ  ＴＰＣ方法では、ＭＩＭＯ及びチャネルアグリゲーション状況で送信電力を調整できないので、１１ａｄに定義されたフレームに情報を追加して効率的なＴＰＣを行う方法を提案する。
【０２７６】
まず、用語をまとめると、リンク測定要請フレーム及びリンク測定報告フレームは、８０２．１１ａｙシステムで定義されたＥＤＭＧ（Ｅｎｈａｎｃｅｄ  Ｄｉｒｅｃｔｉｏｎａｌ  Ｍｕｌｔｉ−Ｇｉｇａｂｉｔ）フレーム（または、ＥＤＭＧ  ＰＰＤＵ）に対応することができる。したがって、後述するリンク測定要請フレーム及びリンク測定報告フレームに含まれたフィールドまたはサブフィールドは、ＥＤＭＧが適用され得る。
【０２７７】
Ｓ２９１０ステップにおいて、第１のＳＴＡ（ｓｔａｔｉｏｎ）は、第２のＳＴＡからＴＰＣ（Ｔｒａｎｓｍｉｔ  Ｐｏｗｅｒ  Ｃｏｎｔｒｏｌ）情報を要請するリンク測定要請フレームを受信する。
【０２７８】
Ｓ２９２０ステップにおいて、前記第１のＳＴＡは、前記リンク測定要請フレームに対する応答としてリンク測定報告フレームを前記第２のＳＴＡに送信する。
【０２７９】
前記リンク測定要請フレーム及び前記リンク測定報告フレームは、次のように定義されることができる。
【０２８０】
前記リンク測定要請フレームは、ＴＰＣ構成フィールドを含む。
【０２８１】
前記ＴＰＣ構成フィールドは、第１のサブフィールド及び第２のサブフィールドを含む。
【０２８２】
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含む。
【０２８３】
前記第２のサブフィールドは、前記リンク測定要請フレームの送信に使用される送信チェーン（Ｔｒａｎｓｍｉｔ  ｃｈａｉｎ）の数に関する情報を含む。
【０２８４】
前記リンク測定要請フレームが、前記チャネルアグリゲーションが行われたチャネルを介して送信されれば、前記送信チェーンの数は、偶数である。
【０２８５】
前記リンク測定要請フレームは、測定要請フィールドをさらに含むことができる。
【０２８６】
前記測定要請フィールドは、第３のサブフィールド及び第４のサブフィールドを含むことができる。
【０２８７】
前記第３のサブフィールドは、前記送信チェーンの各々に対して使用された送信電力に関する情報を含むことができる。
【０２８８】
前記第４のサブフィールドは、前記送信チェーンの各々に対する最大送信電力に関する情報を含むことができる。
【０２８９】
前記リンク測定報告フレームは、レート適応制御（ｒａｔｅ  ａｄａｐｔａｔｉｏｎ  ｃｏｎｔｒｏｌ）または第１のＴＰＣフィールドを含むことができる。前記レート適応制御または第１のＴＰＣフィールドは、報告される送信チェーンの数に関する情報を含むことができる。
【０２９０】
前記リンク測定報告フレームは、第２のＴＰＣフィールドをさらに含むことができる。
【０２９１】
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含むことができる。
【０２９２】
前記Ａｃｔｉｖｉｔｙサブフィールドは、前記第２のＳＴＡが前記報告される送信チェーンに対して前記第１のＳＴＡに推奨する推奨動作に関する情報を含むことができる。
【０２９３】
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定されることができる。
【０２９４】
前記Ｌｉｎｋ  Ｍａｒｇｉｎサブフィールドは、前記第２のＳＴＡが前記第１のＳＴＡに対して測定したリンクマージンに関する情報を含むことができる。
【０２９５】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更しないことができる。
【０２９６】
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させることができる。
【０２９７】
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させることができる。
【０２９８】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含むことができる。
【０２９９】
前記リンク適応確認要素は、Ａｃｔｉｖｉｔｙサブフィールドを含むことができる。
【０３００】
前記Ａｃｔｉｖｉｔｙサブフィールドは、前記第１のＳＴＡが前記推奨動作を受信した以後に、前記送信チェーンの実際動作に関する情報を含むことができる。
【０３０１】
前記チャネルアグリゲーションが行われたチャネルは、２．１６＋２．１６ＧＨｚまたは４．３２＋４．３２ＧＨｚでありうる。
【０３０２】
図３０は、本実施形態に係るＭＩＭＯ及びチャネルアグリゲーション状況でフレームを送信する手順を示す。
【０３０３】
まず、用語をまとめると、第１のＳＴＡは、ＴＰＣを要請し、調整する開始者（ｉｎｉｔｉａｔｏｒ、１００）に対応することができ、第２のＳＴＡは、要請された情報を報告する応答者（ｒｅｓｐｏｎｄｅｒ、１５０）に対応することができる。
【０３０４】
Ｓ３０１０ステップにおいて、第１のＳＴＡ（ｓｔａｔｉｏｎ）は、ＴＰＣ（Ｔｒａｎｓｍｉｔ  Ｐｏｗｅｒ  Ｃｏｎｔｒｏｌ）情報を要請するリンク測定要請フレームを第２のＳＴＡに送信する。
【０３０５】
Ｓ３０２０ステップにおいて、第１のＳＴＡは、第２のＳＴＡから前記リンク測定要請フレームに対する応答として送信されたリンク測定報告フレームを受信する。
【０３０６】
Ｓ３０３０ステップにおいて、第１のＳＴＡと第２のＳＴＡとは、前記リンク測定要請及び報告フレームに基づいて送信電力を調整して信号を送受信する。
【０３０７】
前記リンク測定要請フレーム及び前記リンク測定報告フレームは、次のように定義されることができる。
【０３０８】
前記リンク測定要請フレームは、ＴＰＣ構成フィールドを含む。
【０３０９】
前記ＴＰＣ構成フィールドは、第１のサブフィールド及び第２のサブフィールドを含む。
【０３１０】
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含む。
【０３１１】
前記第２のサブフィールドは、前記リンク測定要請フレームの送信に使用される送信チェーン（Ｔｒａｎｓｍｉｔ  ｃｈａｉｎ）の数に関する情報を含む。
【０３１２】
前記リンク測定要請フレームが、前記チャネルアグリゲーションが行われたチャネルを介して送信されれば、前記送信チェーンの数は、偶数である。
【０３１３】
前記リンク測定要請フレームは、測定要請フィールドをさらに含むことができる。
【０３１４】
前記測定要請フィールドは、第３のサブフィールド及び第４のサブフィールドを含むことができる。
【０３１５】
前記第３のサブフィールドは、前記送信チェーンの各々に対して使用された送信電力に関する情報を含むことができる。
【０３１６】
前記第４のサブフィールドは、前記送信チェーンの各々に対する最大送信電力に関する情報を含むことができる。
【０３１７】
前記リンク測定報告フレームは、レート適応制御（ｒａｔｅ  ａｄａｐｔａｔｉｏｎ  ｃｏｎｔｒｏｌ）または第１のＴＰＣフィールドを含むことができる。前記レート適応制御または第１のＴＰＣフィールドは、報告される送信チェーンの数に関する情報を含むことができる。
【０３１８】
前記リンク測定報告フレームは、第２のＴＰＣフィールドをさらに含むことができる。
【０３１９】
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含むことができる。
【０３２０】
前記Ａｃｔｉｖｉｔｙサブフィールドは、前記第２のＳＴＡが前記報告される送信チェーンに対して前記第１のＳＴＡに推奨する推奨動作に関する情報を含むことができる。
【０３２１】
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定されることができる。
【０３２２】
前記Ｌｉｎｋ  Ｍａｒｇｉｎサブフィールドは、前記第２のＳＴＡが前記第１のＳＴＡに対して測定したリンクマージンに関する情報を含むことができる。
【０３２３】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更しないことができる。
【０３２４】
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させることができる。
【０３２５】
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させることができる。
【０３２６】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含むことができる。
【０３２７】
前記リンク適応確認要素は、Ａｃｔｉｖｉｔｙサブフィールドを含むことができる。
【０３２８】
前記Ａｃｔｉｖｉｔｙサブフィールドは、前記第１のＳＴＡが前記推奨動作を受信した以後に、前記送信チェーンの実際動作に関する情報を含むことができる。
【０３２９】
前記チャネルアグリゲーションが行われたチャネルは、２．１６＋２．１６ＧＨｚまたは４．３２＋４．３２ＧＨｚでありうる。
【０３３０】
５．装置構成
【０３３１】
図３１は、上述したような方法を実現するための装置を説明するための図である。
【０３３２】
図３１の無線装置１００は、上述した信号を送信する開始者ＳＴＡ、そして、無線装置１５０は、上述した信号を受信する応答者ＳＴＡに対応することができる。このとき、各ステーションは、１１ａｙ端末またはＰＣＰ／ＡＰに対応することができる。以下、説明の都合上、信号を送信する開始者ＳＴＡは、送信装置１００と命名し、信号を受信する応答者ＳＴＡは、受信装置１５０と命名する。
【０３３３】
送信装置１００は、プロセッサ１１０、メモリ１２０、送受信部１３０を備えることができ、受信装置１５０は、プロセッサ１６０、メモリ１７０、及び送受信部１８０を備えることができる。送受信部１３０、１８０は、無線信号を送受信し、ＩＥＥＥ８０２．１１／３ＧＰＰなどの物理的階層で実行されることができる。プロセッサ１１０、１６０は、物理階層及び／又はＭＡＣ階層で実行され、送受信部１３０、１８０と連結されている。
【０３３４】
プロセッサ１１０、１６０及び／又は送受信部１３０、１８０は、特定集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路、及び／又はデータプロセッサを備えることができる。メモリ１２０、１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納ユニットを備えることができる。一実施形態がソフトウェアにより実行されるとき、前記記述した方法は、前記記述された機能を果たすモジュール（例えば、プロセス、機能）として実行されることができる。前記モジュールは、メモリ１２０、１７０に格納されることができ、プロセッサ１１０、１６０により実行されることができる。前記メモリ１２０、１７０は、前記プロセッサ１１０、１６０の内部または外部に配置されることができ、よく知られた手段で前記プロセッサ１１０、１６０と連結されることができる。
【０３３５】
前記プロセッサ１１０、１６０は、本明細書において提案された機能、過程、及び／又は方法を実現できる。例えば、プロセッサ１１０、１６０は、前述した本実施形態に係る動作を行うことができる。
【０３３６】
送信装置のプロセッサ１１０の動作は、具体的に次のとおりである。送信装置のプロセッサ１１０は、ＴＰＣ情報を要請するリンク測定要請フレームを送信し、前記リンク測定要請フレームに対する応答として送信されたリンク測定報告フレームを受信する。
【０３３７】
受信装置のプロセッサ１６０の動作は、具体的に次のとおりである。受信装置のプロセッサ１６０は、ＴＰＣ情報を要請するリンク測定要請フレームを受信し、前記リンク測定要請フレームに対する応答としてリンク測定報告フレームを送信する。
【０３３８】
図３２は、本発明の実施形態を実現するより詳細な無線装置を示す。送信装置または受信装置について前述した本発明がこの実施形態に適用され得る。
【０３３９】
無線装置は、プロセッサ６１０、電力管理モジュール６１１、バッテリ６１２、ディスプレイ６１３、キーパッド６１４、ＳＩＭ（ｓｕｂｓｃｒｉｂｅｒ  ｉｄｅｎｔｉｆｉｃａｔｉｏｎ  ｍｏｄｕｌｅ）カード６１５、メモリ６２０、送受信部６３０、１つ以上のアンテナ６３１、スピーカ６４０、及びマイク６４１を備える。
【０３４０】
プロセッサ６１０は、本明細書において説明された提案された機能、手順、及び／又は方法を実現するように構成されることができる。無線インターフェースプロトコルの階層は、プロセッサ６１０で実現されることができる。プロセッサ６１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。プロセッサは、ＡＰ（ａｐｐｌｉｃａｔｉｏｎ  ｐｒｏｃｅｓｓｏｒ）でありうる。プロセッサ６１０は、ＤＳＰ（ｄｉｇｉｔａｌ  ｓｉｇｎａｌ  ｐｒｏｃｅｓｓｏｒ）、ＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、モデム（Ｍｏｄｅｍ；ｍｏｄｕｌａｔｏｒ  ａｎｄ  ｄｅｍｏｄｕｌａｔｏｒ）のうち、少なくとも１つを含むことができる。プロセッサ６１０の例は、Ｑｕａｌｃｏｍ（登録商標）により製造されたＳＮＡＰＤＲＡＧＯＮＴＭシリーズプロセッサ、Ｓａｍｓｕｎｇ（登録商標）により製造されたＥＸＹＮＯＳＴＭシリーズプロセッサ、Ａｐｐｌｅ（登録商標）により製造されたＡシリーズプロセッサ、ＭｅｄｉａＴｅｋ（登録商標）により製造されたＨＥＬＩＯＴＭシリーズプロセッサ、ＩＮＴＥＬ（登録商標）により製造されたＡＴＯＭＴＭシリーズプロセッサ、または対応する次世代プロセッサでありうる。
【０３４１】
電力管理モジュール６１１は、プロセッサ６１０及び／又は送受信部６３０に対する電力を管理する。バッテリ６１２は、電力管理モジュール６１１に電力を供給する。ディスプレイ６１３は、プロセッサ６１０により処理された結果を出力する。キーパッド６１４は、プロセッサ６１０により使用される入力を受信する。キーパッド６１４は、ディスプレイ６１３上に表示されることができる。ＳＩＭカード６１５は、携帯電話及びコンピュータのような携帯電話装置で加入者を識別し、認証するのに使用されるＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）及びそれと関連したキーを安全に格納するために使用される集積回路である。多くのＳＩＭカードに連絡先情報を格納することもできる。
【０３４２】
メモリ６２０は、プロセッサ６１０と動作可能に結合され、プロセッサ６１０を動作させるための様々な情報を格納する。メモリ６２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。実施形態がソフトウェアで実現される場合、本明細書において説明された技数は、本明細書において説明された機能を果たすモジュール（例えば、手順、機能など）で実現されることができる。モジュールは、メモリ６２０に格納されることができ、プロセッサ６１０により実行されることができる。メモリ６２０は、プロセッサ６１０内部に実現されることができる。または、メモリ６２０は、プロセッサ６１０外部に実現されることができ、技術分野において公知された様々な手段を介してプロセッサ６１０に通信可能に連結されることができる。
【０３４３】
送受信部６３０は、プロセッサ６１０と動作可能に結合され、無線信号を送信及び／又は受信する。送受信部６３０は、送信機と受信機を備える。送受信部６３０は、無線周波数信号を処理するための基底帯域回路を備えることができる。送受信部は、無線信号を送信及び／又は受信するように、１つ以上のアンテナ６３１を制御する。
【０３４４】
スピーカ６４０は、プロセッサ６１０により処理された音関連結果を出力する。マイク６４１は、プロセッサ６１０により使用される音関連入力を受信する。
【０３４５】
送信装置の場合、前記プロセッサ６１０は、ＴＰＣ情報を要請するリンク測定要請フレームを送信し、前記リンク測定要請フレームに対する応答として送信されたリンク測定報告フレームを受信する。
【０３４６】
受信装置の場合、前記プロセッサ６１０は、受信装置のプロセッサ１６０は、ＴＰＣ情報を要請するリンク測定要請フレームを受信し、前記リンク測定要請フレームに対する応答としてリンク測定報告フレームを送信する。
【０３４７】
前記リンク測定要請フレーム及び前記リンク測定報告フレームは、次のように定義されることができる。
【０３４８】
前記リンク測定要請フレームは、ＴＰＣ構成フィールドを含む。
【０３４９】
前記ＴＰＣ構成フィールドは、第１のサブフィールド及び第２のサブフィールドを含む。
【０３５０】
前記第１のサブフィールドは、前記リンク測定要請フレームが、チャネルアグリゲーション（ｃｈａｎｎｅｌ  ａｇｇｒｅｇａｔｉｏｎ）が行われたチャネルを介して送信されるか否かに関する情報を含む。
【０３５１】
前記第２のサブフィールドは、前記リンク測定要請フレームの送信に使用される送信チェーン（Ｔｒａｎｓｍｉｔ  ｃｈａｉｎ）の数に関する情報を含む。
【０３５２】
前記リンク測定要請フレームが、前記チャネルアグリゲーションが行われたチャネルを介して送信されれば、前記送信チェーンの数は、偶数である。
【０３５３】
前記リンク測定要請フレームは、測定要請フィールドをさらに含むことができる。
【０３５４】
前記測定要請フィールドは、第３のサブフィールド及び第４のサブフィールドを含むことができる。
【０３５５】
前記第３のサブフィールドは、前記送信チェーンの各々に対して使用された送信電力に関する情報を含むことができる。
【０３５６】
前記第４のサブフィールドは、前記送信チェーンの各々に対する最大送信電力に関する情報を含むことができる。
【０３５７】
前記リンク測定報告フレームは、レート適応制御（ｒａｔｅ  ａｄａｐｔａｔｉｏｎ  ｃｏｎｔｒｏｌ）または第１のＴＰＣフィールドを含むことができる。前記レート適応制御または第１のＴＰＣフィールドは、報告される送信チェーンの数に関する情報を含むことができる。
【０３５８】
前記リンク測定報告フレームは、第２のＴＰＣフィールドをさらに含むことができる。
【０３５９】
前記第２のＴＰＣフィールドは、前記報告される送信チェーンの各々に対するＡｃｔｉｖｉｔｙサブフィールドとＬｉｎｋ  Ｍａｒｇｉｎサブフィールドとを含むことができる。
【０３６０】
前記Ａｃｔｉｖｉｔｙサブフィールドは、前記第２のＳＴＡが前記報告される送信チェーンに対して前記第１のＳＴＡに推奨する推奨動作に関する情報を含むことができる。
【０３６１】
前記推奨動作に関する情報は、Ｎｏ  ｃｈａｎｇｅ  ｐｒｅｆｅｒｒｅｄ、Ｃｈａｎｇｅ  ＭＣＳ、Ｄｅｃｒｅａｓｅ  ｔｒａｎｓｍｉｔ  ｐｏｗｅｒ、Ｉｎｃｒｅａｓｅ  ｔｒａｎｓｍｉｔ  ｐｏｗｅｒ、Ｆａｓｔ  ｓｅｓｓｉｏｎ  ｔｒａｎｓｆｅｒ、Ｐｏｗｅｒ  ｃｏｎｓｅｒｖｅ  ｍｏｄｅ、またはＰｅｒｆｏｒｍ  ＳＬＳ（Ｓｅｃｔｏｒ  Ｌｅｖｅｌ  Ｓｗｅｅｐ）のうち１つに決定されることができる。
【０３６２】
前記Ｌｉｎｋ  Ｍａｒｇｉｎサブフィールドは、前記第２のＳＴＡが前記第１のＳＴＡに対して測定したリンクマージンに関する情報を含むことができる。
【０３６３】
前記推奨動作に関する情報がＮｏ  ｃｈａｎｇｅ  ｐｒｅｆｅｒｒｅｄに決定されれば、前記第１のＳＴＡは、前記送信チェーンの送信電力を変更しないことができる。
【０３６４】
前記推奨動作に関する情報がＤｅｃｒｅａｓｅ  ｔｒａｎｓｍｉｔ  ｐｏｗｅｒに決定されれば、前記第１のＳＴＡは、前記送信チェーンの送信電力を減少させることができる。
【０３６５】
前記推奨動作に関する情報がＩｎｃｒｅａｓｅ  ｔｒａｎｓｍｉｔ  ｐｏｗｅｒに決定されれば、前記第１のＳＴＡは、前記送信チェーンの送信電力を増加させることができる。
【０３６６】
前記リンク測定報告フレームは、リンク適応確認要素（Ｌｉｎｋ  Ａｄａｐｔａｔｉｏｎ  Ａｃｋｎｏｗｌｅｄｇｍｅｎｔ  ｅｌｅｍｅｎｔ）を含むことができる。
【０３６７】
前記リンク適応確認要素は、Ａｃｔｉｖｉｔｙサブフィールドを含むことができる。
【０３６８】
前記Ａｃｔｉｖｉｔｙサブフィールドは、前記第１のＳＴＡが前記推奨動作を受信した以後に、前記送信チェーンの実際動作に関する情報を含むことができる。
【０３６９】
前記チャネルアグリゲーションが行われたチャネルは、２．１６＋２．１６ＧＨｚまたは４．３２＋４．３２ＧＨｚでありうる。
【図１】
0006838177.tif 000004
【図２】
0006838177.tif 000005
【図３】
0006838177.tif 000006
【図４】
0006838177.tif 000007
【図５】
0006838177.tif 000008
【図６】
0006838177.tif 000009
【図７】
0006838177.tif 000010
【図８】
0006838177.tif 000011
【図９】
0006838177.tif 000012
【図１０】
0006838177.tif 000013
【図１１】
0006838177.tif 000014
【図１２】
0006838177.tif 000015
【図１３】
0006838177.tif 000016
【図１４】
0006838177.tif 000017
【図１５】
0006838177.tif 000018
【図１６】
0006838177.tif 000019
【図１７】
0006838177.tif 000020
【図１８】
0006838177.tif 000021
【図１９】
0006838177.tif 000022
【図２０】
0006838177.tif 000023
【図２１】
0006838177.tif 000024
【図２２】
0006838177.tif 000025
【図２３】
0006838177.tif 000026
【図２４】
0006838177.tif 000027
【図２５】
0006838177.tif 000028
【図２６】
0006838177.tif 000029
【図２７】
0006838177.tif 000030
【図２８】
0006838177.tif 000031
【図２９】
0006838177.tif 000032
【図３０】
0006838177.tif 000033
【図３１】
0006838177.tif 000034
【図３２】
0006838177.tif 000035